(57)【要約】      （修正有）【課題】レイズドパネルアセンブリの間隙封止剤を流れ出ないように充填する方法及びコンポーネントを提供する。【解決手段】隣接するレイズドパネル１４間の間隙１８の少なくとも一部を含み、封止剤２６を受け止めるように構成されるチャネルの少なくとも１つの境界を画定する、流出制限構造体５０を含む。流出制限構造体は通過する封止剤の流出を制限することが可能で、これによってレイズドパネルアセンブリの組立に必要となる封止剤全体の容積を減らすこと、及び／又は、レイズドパネルが望んでいない他の構造体に付着するのを制限することができる。これらのシステム、方法、及びコンポーネントはまた、レイズドパネルアセンブリの分解及び／又は修理に要する時間を短縮するためなど、レイズドパネルアセンブリからの取り外しにあたって、隣接するレイズドパネル間の封止剤の少なくとも一部を分断するように構成された長尺分解補助器具８０を含みうる。【選択図】図２
2015042834.tif 000002
【特許請求の範囲】
【請求項１】
レイズドパネルアセンブリを組み立てる方法であって、前記方法は：
封止剤（２６）を受け入れるように構成されるチャネル（２０）の境界を形成するために、前記レイズドパネルアセンブリの中に流出制限構造体（５０）を設置することであって、前記チャネル（２０）は、第１のレイズドパネル（１５）の第１のエッジと第２のレイズドパネル（１６）の第２のエッジとの間の間隙（１８）の一部を含む、設置することと；
前記封止剤（２６）を前記チャネル（２６）に適用することとを含み、前記流出制限構造体（５０）は通過する前記封止剤（２６）の流出を制限し、前記封止剤（２６）は前記第１のレイズドパネル（１５）及び前記第２のレイズドパネル（１６）と接着結合を形成し、さらに前記適用することは前記設置することの後で実施される方法。
【請求項２】
前記方法は、前記間隙（１８）の中に長尺分解補助器具（８０）を設置することをさらに含み、前記長尺分解補助器具（８０）は、前記第１のレイズドパネル（１５）と前記第２のレイズドパネル（１６）との間に延在する前記封止剤（２６）の少なくとも一部を薄切すること、切断すること、分断すること、引裂すること、及び分割することのうちの少なくとも１つによって、前記第２のレイズドパネル（１６）から前記第１のレイズドパネル（１５）を分解するのに要する時間を短縮するように構成されている、請求項１に記載の方法。
【請求項３】
前記長尺分解補助器具（８０）は前記流出制限構造体（５０）の一部を形成し、さらに、前記長尺分解補助器具（８０）を前記設置することは前記流出制限構造体（５０）を前記設置することと同時に実施される、請求項２に記載の方法。
【請求項４】
前記長尺分解補助器具（８０）を前記設置することは、前記流出制限構造体（５０）の前記設置することの後で実施される、請求項２又は３に記載の方法。
【請求項５】
前記方法は、前記適用することが実施される前記間隙（１８）の側面と対向する前記間隙（１８）の側面に別のテープ材料を接着することなく、前記流出制限構造体（５０）を設置すること、及び前記封止剤（２６）を適用することを含む、請求項１から４のいずれか一項に記載の方法。
【請求項６】
前記適用することは、前記封止剤（２６）を液体封止剤として適用することを含み、さらに、前記方法は固体封止剤を形成するため前記封止剤を硬化することを含む、請求項１から５のいずれか一項に記載の方法。
【請求項７】
前記設置することは、前記流出制限構造体（５０）を前記レイズドパネルアセンブリの中に固体として設置することを含む、請求項１から６のいずれか一項に記載の方法。
【請求項８】
前記設置することは、前記第１のエッジと前記第２のエッジとの間で、前記流出制限構造体（５０）を圧縮することを含む、請求項１から７のいずれか一項に記載の方法。
【請求項９】
前記設置することは、前記流出制限構造体（５０）を前記第１のエッジ及び前記第２のエッジに直接接触させることを含む、請求項１から８のいずれか一項に記載の方法。
【請求項１０】
前記適用することは、前記封止剤（２６）と前記流出制限構造体（５０）との間に接着結合を形成することを含む、請求項１から９のいずれか一項に記載の方法。
【請求項１１】
前記流出制限構造体（５０）を前記設置することは、前記封止剤（２６）と、前記第１のレイズドパネル（１５）と、前記第２のレイズドパネル（１６）との間に、所望の結合強度をもたらすのに十分な接触領域を提供するために、前記間隙（１８）の中の前記流出制限構造体（５０）の深さを調整することを含む、請求項１から１０のいずれか一項に記載の方法。
【請求項１２】
前記流出制限構造体（５０）を前記設置することは、適用ツール（１１０）を使用して、前記間隙（１８）の中に所望の深さまで前記流出制限構造体（５０）を設置することを含む、請求項１から１１のいずれか一項に記載の方法。
【請求項１３】
前記方法は、前記流出制限構造体（５０）によって画定される凹領域の中に、前記適用ツール（１１０）の凸領域（１１２）を配置することによって、前記適用ツールに対して前記流出制限構造体（５０）を配向することをさらに含む、請求項１から１２のいずれか一項に記載の方法。
【請求項１４】
隣接するレイズドパネル間の間隙（１８）から出る封止剤（２６）の流出を制限するように構成されている流出制限構造体（５０）であって、前記流出制限構造体（５０）は：
（ｉ）縦軸（５１）；
（ｉｉ）中央部分（６６）；
（ｉｉｉ）前記中央部分の対向する側面領域から延在する２つの突起物（６０）
を画定する弾性長尺体（５４）であって、前記中央部分及び前記２つの突起物は前記弾性長尺体の前記縦軸に沿って延在する、弾性長尺体（５４）と；
前記流出制限構造体（５０）の前記縦軸に沿って延在する長尺分解補助器具（８０）と
を備え、前記長尺分解補助器具（８０）のせん断強度は前記弾性長尺体のせん断強度よりも大きい、流出制限構造体（５０）。
【請求項１５】
前記弾性長尺体（５４）は、実質的に一定の横断面形状を画定する一体型の弾性長尺体である、請求項１４に記載の流出制限構造体（５０）。
【請求項１６】
前記２つの突起物（６０）は前記中央部分（６６）から延在して、その間に陥凹領域を画定する、請求項１４又は１５に記載の流出制限構造体（５０）。
【発明の詳細な説明】
【技術分野】
【０００１】
本開示は概してレイズドパネルアセンブリ及びそのコンポーネントに関し、より具体的にはレイズドパネルアセンブリの組立及び／又は分解のためのシステム、方法及びコンポーネントに関する。
【背景技術】
【０００２】
レイズドパネルアセンブリは、隆起した表面を形成するために様々な構造体で組み立てられること、及び／又は利用されることがある。一般的に、レイズドパネルアセンブリは、複数のレイズドパネル、下部構造体を含む及び／又は動作可能に取り付けられるレイズドパネルの少なくとも一部を含む。下部構造体は、他の複数のレイズドパネルに対して、及び／又は下部構造体に対して、複数のレイズドパネルの各々を支持する、保持する、及び／又は配置するように構成されてもよい。レイズドパネルは、下部構造体に直接物理的に接触することがある支持部分、並びに下部構造体に直接物理的に接触することがない非支持部分を含むことがある。
【０００３】
レイズドパネルアセンブリによっては、隣接するレイズドパネル間に間隙を含むことがあり、この間隙は、第１のレイズドパネルを第２のレイズドパネルに接着するように、及び／又は、間隙を通る流体及び／又は固体の移動を妨げる障壁として機能するように構成されうる封止剤で充填されてもよい。例示的な非排他的実施例として、航空機は、レイズドパネルアセンブリから組み立てられる床を含むことがあり、隣接するレイズドパネル間の間隙は、封止された間隙を生成するために封止剤で充填されることがある。
【０００４】
封止された間隙を含むレイズドパネルアセンブリを組み立てるときには、組立工程中に封止剤が間隙から流れ出ることがある。これは、レイズドパネルアセンブリの封止に要する封止剤の量を増し、封止剤の費用を増大させ、レイズドパネルアセンブリ全体の重量を増加させ、及び／又は過剰な封止剤の除去及び／又は廃棄に関連して環境への影響を増大させることがある。同様に、封止された間隙を含むレイズドパネルアセンブリを分解する際には、隣接するレイズドパネル間の封止剤及び／又は、レイズドパネルアセンブリの間隙から流れ出て、レイズドパネルを直接下部構造体に結合する封止剤を取り除くことが困難になることがあり、レイズドパネル及び／又は下部構造体に損傷を与えることなくレイズドパネルアセンブリからレイズドパネルを取り外すことが困難又は不可能になることがある。したがって、レイズドパネルアセンブリの組立及び／又は分解のための改良されたシステム及び方法が必要になっている。
【発明の概要】
【０００５】
レイズドパネルアセンブリの組立及び分解のためのシステム、方法及びコンポーネントが本明細書で開示される。これらのシステム、方法、及びコンポーネントは、隣接するレイズドパネル間の間隙の少なくとも一部を含み、封止剤を受け止めるように構成されるチャネルの少なくとも１つの境界を画定するように構成される、流出制限構造体を含みうる。流出制限構造体は通過する封止剤の流れを制限することが可能で、これによってレイズドパネルアセンブリの組立に必要となる封止剤全体の容積を減らすこと、及び／又は、レイズドパネルアセンブリに関連するレイズドパネルが、望んでいないにもかかわらず、レイズドパネルアセンブリを支持するように構成される下部構造体などの他の構造体に付着するのを制限することができる。これらのシステム、方法、及びコンポーネントはまた、レイズドパネルアセンブリからの取り外しにあたって、隣接するレイズドパネル間の封止剤の少なくとも一部を分断するように構成された長尺分解補助器具を含むことがある。したがって、長尺分解補助器具の使用により、レイズドパネルアセンブリの分解及び／又は修理の時間を短縮することができる。
【０００６】
幾つかの実施形態では、方法はレイズドパネルアセンブリを組み立てることを含みうる。幾つかの実施形態では、組立は、チャネルを形成してそのチャネルに封止剤を適用するため、レイズドパネルアセンブリの中に（又はその間隙の中に）流出制限構造体を設置することを含む。幾つかの実施形態では、方法は、間隙の中に長尺分解補助器具を設置することをさらに含みうる。幾つかの実施形態では、流出制限構造体は間隙の中に固体として設置されてもよい。幾つかの実施形態では、流出制限構造体はレイズドパネルアセンブリの中に設置されると、レイズドパネル間で圧縮される。幾つかの実施形態では、流出制限構造体を設置することは、間隙の中の流出制限構造体の深さを調整することを含む。幾つかの実施形態では、流出制限構造体を設置することは、適用ツールによって設置することを含む。幾つかの実施形態では、方法は、適用ツールに対して流出制限構造体を配向することをさらに含む
【０００７】
幾つかの実施形態では、方法はまた、レイズドパネルアセンブリを分解することを含みうる。幾つかの実施形態では、分解することは、長尺分解補助器具を把持すること、レイズドパネルアセンブリから長尺分解補助器具を取り除くこと、及び取り除き作業中にレイズドパネル間に延在する封止剤の少なくとも一部を切断することを含みうる。幾つかの実施形態では、長尺分解補助器具を取り除くことは、流出制限構造体から長尺分離補助器具を分離することをさらに含む。幾つかの実施形態では、分解することは、レイズドパネルアセンブリから一又は複数のレイズドパネルを取り除くことをさらに含みうる。
【０００８】
幾つかの実施形態では、流出制限構造体、又はその中の弾性長尺体は、縦軸を画定し、中央部分及び中央部分の対向する側面領域から延在する２つの突起部分を含む。幾つかの実施形態では、中央部分及び２つの突起物は縦軸に沿って延在する。幾つかの実施形態では、弾性長尺体は、実質的に一定の横断面形状を画定する一体型の弾性長尺体である。幾つかの実施形態では、２つの突起物は中央部分から延在し、適用ツールの凸型領域を受け入れるように構成されている、陥凹領域を画定する。幾つかの実施形態では、システムは流出制限構造体、封止剤、及び適用ツールを含むコンポーネントのキットを含む。
【図面の簡単な説明】
【０００９】
【図１】本開示による流出制限構造体の例示的な非排他的実施例の概略断面図である。
【図２】本開示による流出制限構造体を含むレイズドパネルアセンブリの図式的ではないが、例示的な非排他的実施例の斜投影図である。
【図３】本開示による適用ツールを使用してレイズドパネルアセンブリの中に設置される流出制限構造体の例示的な非排他的実施例の概略断面図である。
【図４】本開示によるレイズドパネルアセンブリの図式的ではないが、例示的な非排他的実施例の断面図である。
【図５】本開示による流出制限構造体の例示的な非排他的実施例の別の概略断面図である。
【図６】本開示によるレイズドパネルアセンブリの図式的ではないが、例示的な非排他的実施例の別の断面図である。
【図７】本開示による流出制限構造体のより詳細ではあるが、例示的な非排他的実施例の概略断面図である。
【図８】本開示による適用ツールを使用してレイズドパネルアセンブリの中に設置される、図７の流出制限構造体の概略断面図である。
【図９】本開示による別の適用ツールを使用してレイズドパネルアセンブリの中に設置される、図７の流出制限構造体の概略断面図である。
【図１０】図７の流出制限構造体を含むレイズドパネルアセンブリの例示的な非排他的実施例の概略断面図である。
【図１１】本開示によるレイズドパネルアセンブリを組み立てる方法の例示的な非排他的実施例を描いたフロー図である。
【図１２】本開示によるレイズドパネルアセンブリを組み立てる方法の例示的な非排他的実施例を描いたフロー図である。
【発明を実施するための形態】
【００１０】
図１〜１０は、本開示による流出制限構造体の例示的な非排他的実施例に加えて、構造体１０及び／又は、流出制限構造体を含みうる及び／又は利用しうるレイズドパネルアセンブリ１２の例示的な非排他的実施例を提供する。同様、又は少なくとも実質的に同様の目的を果たす要素は、図１〜１０の各々で同様の番号でラベル表示されているため、これらの要素は図１〜１０の各々で参照されても、本明細書で詳細に説明されないことがある。同様に、図１〜１０の各々ではすべての要素がラベル表示されるわけではないが、一貫性を保つため本明細書では関連する参照番号が利用されてもよい。概して、所与の実施形態に含まれる可能性が高い要素は実線で示されており、一方、所与の実施形態で任意選択の要素は破線で示されている。しかしながら、実線で示される要素はすべての実施形態で必須というわけではないが、実線で示されている要素は特定の実施形態からは除外されうることは、本開示の範囲内のことである。
【００１１】
図１は本開示による流出制限構造体５０の例示的な非排他的実施例の概略断面図である。流出制限構造体５０は、任意の好適な構造体１０の一部を形成しうる任意の好適なレイズドパネルアセンブリ１２の一部に含まれること、レイズドパネルアセンブリ１２の組立に利用されること、及び／又はレイズドパネルアセンブリ１２を形成することがある。レイズドパネルアセンブリ１２は複数のレイズドパネル１４を含むことがあり、レイズドパネル１４の各々は２つの実質的に対向する面３０を含むことがあり、例えば本明細書では頂面３２及び／又は上面３２と呼ばれることもある第１の対向する面３２と、底面３３及び／又は下面３３と呼ばれることもある第２の対向する面３３、並びに一又は複数のエッジ３４が含まれる。レイズドパネルアセンブリ１２では、第１のレイズドパネルに関連する第１のエッジは、間隙１８を形成するように近位で、隣接して、近傍に、及び／又は対向するように、第２のレイズドパネルに関連する第２のエッジから離間して配置されてもよく、この間隙はまた、本明細書では２つのレイズドパネル１４間の開口部、溝、及び／又は空間と呼ばれることもある。
【００１２】
流出制限構造体５０がレイズドパネルアセンブリ１２に含まれる場合には、流出制限構造体５０はレイズドパネル１４と好適な機械的（物理的）連係状態にあってもよく、また、図１に概略的に示されているように、封止剤２６を受け止め、結び付け、及び／又は含むように構成されているチャネル、谷、及び／又は溝２０の少なくとも１つの表面及び／又は境界を形成してもよい。例示的な非排他的実施例として、図２〜４及び図８〜１０にさらに詳細に示されているように、流出制限構造体５０は隣接するレイズドパネル１４の間の間隙１８の中に存在してもよい。別の例示的な非排他的実施例として、図５〜６にさらに詳細に示されているように、流出制限構造体５０はレイズドパネル１４の下面３３に動作可能に取り付けられること、及び／又は機械的に連係されること、及び／又は間隙１８の境界を形成することが可能である。
【００１３】
流出制限構造体５０がレイズドパネル１４の下面３３に動作可能に取り付けられること、及び／又は機械的に連係されること、及び流出制限構造体５０が隣接するレイズドパネル１４間の間隙１８の中に延在しうることも、本開示の範囲内のことである。封止剤２６及び／又は流出制限構造体５０は、長尺分解補助器具８０を含むこと、包含すること、取り囲むこと、封入すること、接着すること、隣接すること、近接すること、及び／又は機械的に連係されることが可能であり、さらにこの長尺分解補助器具８０は、レイズドパネルアセンブリの分解及び／又は隣接するレイズドパネルの分離を簡略化する、改善する、時間を短縮する、及び／又は円滑にするように構成されてもよい。
【００１４】
一又は複数の下部構造体２２、２３は、本明細書では支持構造体２２，２３と呼ばれることもあるが、支持部分すなわちレイズドパネル１４の領域４４を支持することが可能で、一方、非支持部分すなわちレイズドパネル１４の領域４６は下部構造体２２，２３によって支持されないこと、又は直接支持されないことがある。支持部分４４と非支持部分４６は共に、レイズドパネルの同じ側、すなわち同じ面上に存在してもよい。下部構造体２２，２３は、レイズドパネル１４の表面積の任意の好適な部分を支持する及び／又は機械的に連係するように構成されてもよい。例示的な非排他的実施例として、非支持部分は、レイズドパネルの表面積の少なくとも２５％、少なくとも５０％、少なくとも６０％、少なくとも６５％、少なくとも７０％、少なくとも７５％、少なくとも８０％、少なくとも８５％、少なくとも９０％、少なくとも９５％、５０〜９５％、７０〜９５％、又は７５〜９０％を含んでもよい。
【００１５】
流出制限構造体５０と封止剤２６の両方を使用したレイズドパネルアセンブリ１２の組み立ては、溝２０への封止剤２６の適用中に、間隙１８及び／又は溝２０からの封止剤２６の流出を減らすことができ、また、間隙１８及び／又は溝２０を満たすのに必要となる封止剤２６の容積及び／又は質量を減らすことができる。これは、流出制限構造体５０を含まない同等のレイズドパネルアセンブリと比較して、隣接するレイズドパネル１４の接着に使用される封止剤２６の容積を減らすことができる。追加的に又は代替的に、これは、同等のレイズドパネルアセンブリと比較して、レイズドパネルアセンブリ１２の全重量を減らすことができる。例示的な非排他的実施例として、封止剤の容積は、同等のレイズドパネルアセンブリで使用される封止剤の容積の１０％、２０％、２５％、３０％、４０％、５０％、６０％、７０％、又は７５％未満になることがある。
【００１６】
加えて、流出制限構造体５０があることによって、封止剤２６と下部構造体２２との間の、及び／又はレイズドパネル１４と下部構造体２２との間の接着結合の形成を減少すること、制限すること、防止すること、及び／又は停止することが可能で、これによってレイズドパネルアセンブリ１２の分解を迅速化及び／又は単純化することができる。同様に、レイズドパネルアセンブリ１２の中に長尺分解補助器具８０を封入しておくと、長尺分解補助器具８０がレイズドパネルアセンブリ１２から取り外されるとき、隣接するレイズドパネル１４の間から封止剤２６の少なくとも一部を分断することによって、レイズドパネルアセンブリの分解、及び／又は第２の隣接するレイズドパネルからの第１のレイズドパネルの分離を迅速化及び／又は単純化することができる。
【００１７】
長尺分解補助器具８０を使用して封止剤２６を分断することにより、ナイフを使用して封止剤を分断する方法など、他の分解方法と比較した場合、分解中のレイズドパネルアセンブリ１２に対する損傷の可能性は低くすることができる。加えて、流出制限構造体５０及び／又は長尺分解補助器具８０は、レイズドパネルアセンブリ１２の中に存在するレイズドパネルの残材の間にある封止剤に損傷を与えることなく、レイズドパネルアセンブリ１２の中に存在しうるレイズドパネル１４の一部の除去を容易にすることができる。
【００１８】
本明細書でさらに詳細に説明しているように、流出制限構造体５０、封止剤２６、及び／又は長尺分解補助器具８０は、一又は複数の疎水性材料８４を含んでいても、疎水性材料８４に被覆されていても、及び／又は疎水性材料８４から構成されていてもよい。これらの疎水性材料を使用することにより、構造体１０及び／又はレイズドパネルアセンブリ１２が湿気に曝されたときの腐食の可能性を低減することができる。
【００１９】
流出制限構造体５０は、間隙１８の中に設置されるように、溝２０の境界を形成するように、及び／又は通過する封止剤２６の流出を低減する、制限する、塞ぐ、及び／又は止めるように構成されてもよい。例示的な非排他的実施例として、流出制限構造体５０は、隣接するレイズドパネル１４の間に圧縮されるように構成される弾性長尺体を含んでもよい。おそらく図２で最も明瞭に示されているように、弾性長尺体５４は、間隙１８の縦軸２１に対して揃えられる、平行な、少なくとも実質的に平行な、及び／又は同延な縦軸５１を含みうる。
【００２０】
弾性長尺体５４は、任意の好適な構造体及び／又は材料を含んでもよく、これらから製造されてもよく、及び／又はこれらから形成されてもよい。例示的な非排他的実施例として、弾性長尺体は、任意の好適な弾性固体、エラストマー、ポリマー、疎水性材料、発泡体、疎水性発泡体、ポリウレタン発泡体、及び／又は疎水性ポリウレタン発泡体を含んでもよい。
【００２１】
図１は、矩形断面形状、又は横断面形状を含むように、流出制限構造体５０、及び／又はその弾性長尺体５４を示しているが、流出制限構造体５０は任意の好適な横断面形状を含んでもよい。例示的な非排他的実施例として、流出制限構造体５０は、円形の、卵形の、楕円形の、台形の、多角形の、正方形の、及び／又は矩形の断面形状を含んでもよい。追加的に又は代替的に、図７〜１０を参照して本明細書でさらに詳細に説明されているように、弾性長尺体５４はまた、一体型の弾性長尺体であってもよく、及び／又は中央部分６６及び中央部分から延在する２つの突起物６０を画定してもよい。弾性長尺体５４が中央部分６６及び突起物６０を含むとき、中央部分及び／又は突起物は（図２の図解されているように）長軸５１に沿って延在してもよい。
【００２２】
図１に図解されているように、中央部分６６は第１の面６７及び第１の面に対向する第２の面６８を画定することができ、また、第１の面と第２の面との間の距離は中央部分の厚み（又は平均の厚み）６９を画定することができる。また、図１に図解されているように、突起物６０は、中央部分６６の対向する側面、対向する領域、及び／又は対向する側面領域から延在してもよい。例示的な非排他的実施例として、突起物６０は、中央部分６６のそれぞれのエッジ７０から延在してもよく、これらのエッジは第１の面６７と第２の面６８との間で画定されてもよい。追加的に又は代替的に、突起物６０はまた第１の面６７から及び／又は第２の面６８から延在してもよい。弾性長尺体５４が突起物６０を含むときには、突起物は中央部分６０から延在して、突起物の間に凹領域７２を画定することがある。凹領域７２が任意の好適な形状及び／又は横断面形状を画定することは、本開示の範囲内のことである。例示的な非排他的実施例として、凹領域７２は、くぼんだ領域、概してＶ字型の領域、概してＵ字型の領域、概してカップ型の領域、及び／又は概して谷型の領域を画定してもよく、またはこのような領域であってもよい。弾性長尺体５４がレイズドパネルアセンブリ１２の中に配置されるときには、凹領域７２は封止剤２６を受け取る及び／又は包含するように構成されてもよい。
【００２３】
流出制限構造体５０及び／又はその弾性長尺体５４は、レイズドパネルアセンブリ１２の中に、及び／又はその間隙１８の中に、固体又は少なくとも実質的に固体の形態で設置されるように構成されてもよいこと、並びに流出制限構造体５０は弾性固体及び／又は非弾性固体を含んでもよく、及び／またはそのような固体であってもよいことは、本開示の範囲内のことである。流出制限構造体５０がレイズドパネルアセンブリ１２の中に固体として設置されているときには、流出制限構造体は隣接するレイズドパネル１４の間に、及び／又は一又は複数のレイズドパネル１４と下部構造体２２，２３との間に圧縮されてもよい。例示的な非排他的実施例として、流出制限構造体５０は、圧縮されていない状態での特徴的な断面直径又は寸法、圧縮されている状態での特徴的な断面直径又は寸法を含むことがある。圧縮された特徴的な断面直径は、間隙１８の幅３８になること、及び／又はこれに相当することがあり、さらに閾値圧縮の比率又は割合だけ、或いは少なくとも閾値圧縮の比率又は割合だけ、圧縮されていない特徴的な断面直径を下回ることがある。本開示による閾値圧縮割合の例示的な非排他的実施例は、少なくとも５％の、少なくとも１０％の、少なくとも１５％の、少なくとも２０％の、少なくとも２５％の、少なくとも３０％の、少なくとも３５％の、少なくとも４０％の、少なくとも４５％の、少なくとも５０％の、５〜２５％の、又は５〜５０％の閾値圧縮割合を含む。
【００２４】
長尺分解補助器具８０は、レイズドパネルアセンブリ１２からの取り外しの際に、及び／又はレイズドパネルディスアセンブリの分解中に、隣接するレイズドパネル１４の間の封止剤２６の少なくとも一部を薄切するように、切断するように、分断するように、引裂するように、及び／又は分割するように構成されうる任意の好適な構造体を含んでもよい。長尺分解補助器具８０は、間隙１８の縦軸、流出制限構造体５０、及び／又は弾性長尺体５４の少なくとも一部、及び任意選択によりこれらすべてと、一列に並ぶ、平行になる、少なくとも実質的に平行になる、及び／又は同延となることがある縦軸を含んでもよい。
【００２５】
長尺分解補助器具８０は、任意の好適な構造体及び／又は形状を含むことがあり、さらに任意の好適な材料から製造及び／又は形成されてもよい。例示的な非排他的実施例として、長尺分解補助器具８０は、任意の好適な弦、糸、フィラメント、ワイヤ、ロッド、及び／又はケーブルを含むことがある。別の例示的な非排他的実施例として、長尺分解補助器具８０は、好適な金属、ポリマー、エラストマー、ナイロン、ポリエステル、ポリエチレン、ポリプロピレン、及び／又は疎水性材料から作られてもよい。
【００２６】
概して、長尺分解補助器具８０は、弾性長尺体５４及び／又は封止剤２６の組成とは異なる組成を含む。例示的な非排他的実施例として、長尺分解補助器具８０は、弾性長尺体５４及び／又は封止剤２６とは異なる化学組成、異なる密度、異なるヤング率、異なるせん断強度、及び／又は異なる引張強度を含むことがある。別の例示的な非排他的実施例として、長尺分解補助器具８０は、弾性長尺体５４及び／又は封止剤２６よりも大きなせん断強度、及び／又は大きな引張強度を含むことがある。
【００２７】
図１に破線で示したように、長尺分解補助器具８０は、間隙１８の中の好適な配置に存在してもよい。例示的な非排他的実施例として、長尺分解補助器具８０は、弾性長尺体５４の中に配置されてもよく、及び／又は動作可能になるように弾性長尺体５４に取り付けられてもよい。これらの条件下では、長尺分解補助器具８０は、レイズドパネルアセンブリ１２からの取り外しの際に、弾性長尺体５４の少なくとも一部の構造体から分離されるように、及び／又はそれを変更するように、さらには分離の際には、弾性長尺体５４の少なくとも一部を薄切するように、切断するように、分断するように、引裂するように、及び／又は分割するように構成されてもよい。例示的な非排他的実施例として、長尺分解補助器具８０は、弾性長尺体５４からの分離の際に弾性長尺体５４の少なくとも長さの一部を変更するように構成されてもよい。弾性長尺体５４の長さの一部の例示的な非排他的実施例は、弾性長尺体５４の長さの少なくとも５０％、少なくとも６０％、少なくとも７０％、少なくとも７５％、少なくとも８０％、少なくとも９０％、少なくとも９５％、少なくとも９９％、１００％、５０〜１００％、７０〜９９％、又は７５〜１００％を含む。
【００２８】
また、図１に破線で示したように、長尺分解補助器具８０は、弾性長尺体５４の中に包含されていなくても、及び／又は取り付けられていなくてもよい。例示的な非排他的実施例として、長尺分解補助器具８０は、弾性長尺体５４に機械的に連係されているが取り付けられていないことがあり、弾性長尺体に隣接しているが取り付けられていないことがあり、封止剤２６と弾性長尺体との間にあることがあり、及び／又は封止剤の中に配置されていること及び／又は封止剤に囲まれていることがある。長尺分解補助器具８０が弾性長尺体５４の中に包含されていない、及び／又は取り付けられていない場合でも、弾性長尺体に損傷及び／又は改変を加えることなく、長尺分解補助器具はレイズドパネルアセンブリ１２から取り除きうることは、本開示の範囲内のことである。
【００２９】
封止剤２６は、間隙１８及び／又は溝２０の中に設置されうる任意の好適な構造体及び／又は材料を含むことがあり、さらに、隣接するレイズドパネル１４及び／又は流出制限構造体５０との間の接着結合、及び／又はこれらとの接着結合を形成するように構成されてもよい。例示的な非排他的実施例として、封止剤２６は任意の好適な接着剤、エラストマー、ポリマー、弾性材料、及び／又は疎水性材料を含むことがある。封止剤２６は、液状封止剤として間隙１８及び／又は溝２０の中に設置される、及び／又は適用されるように、さらには固体の、固体様の、又は少なくとも高粘性の封止剤を形成するようにその中で硬化されるように、構成されてもよい。
【００３０】
下部構造体２２、２３は、レイズドパネルアセンブリ１２に含まれていても、その一部を形成しても、機械的な支持を提供してもよく、及び／又はレイズドパネルアセンブリ１２と機械的に連係していてもよい。本明細書でさらに詳細に説明されるように、レイズドパネルアセンブリ１２の少なくとも一部、及び／又はその中のレイズドパネル１４は、保持構造体９０を使用するなどして、動作可能になるように下部構造体２２、２３に取り付けうることは、本開示の範囲内のことである。本開示による保持構造体９０の例示的な非排他的実施例は、任意の好適な締結具、ねじ、リベット、ボルト、ワッシャ、ナット、及び／又はナットクリップを含む。
【００３１】
図１に示すように、レイズドパネル１４の支持されている部分４４は、下部構造体２２、２３の支持面２４に直接接触していてもよい。しかしながら、一又は複数の支持構造体９２は下部構造体２２、２３とレイズドパネル１４との間に存在することがあり、下部構造体からレイズドパネルの少なくとも一部を分離し、及び／又はその間に第２の間隙を生成しうることも、本開示の範囲内のことである。また、図１に示すように、下部構造体２２は間隙１８の少なくとも一部の下に存在してもよい。追加的に又は代替的に、下部構造体２３は間隙１８の少なくとも一部の下に配置されなくてもよい。下部構造体２３が間隙１８の下に配置されていないときには、流出制限構造体５０の使用により、間隙の底面を覆うテープ材料（又は追加のテープ材料）を使用することなく間隙１８に封止剤２６を適用して、封止剤の流出を防ぐことができる。
【００３２】
間隙１８は任意の好適な幅３８及び／又は深さ４２を含み、レイズドパネル１４のエッジ３４間に延在してもよい。本開示による間隙の幅３８の例示的な非排他的実施例は、２ｃｍ未満の、１．５ｃｍ未満の、１ｃｍ未満の、０．７５ｃｍ未満の、０．５ｃｍ未満の、０．４ｃｍ未満の、０．３ｃｍ未満の、０．２ｃｍ未満の、０．１ｃｍ未満の、０．１〜２ｃｍの、０．１〜１ｃｍの、又は０．２〜０．８ｃｍの間隙の幅を含む。本開示による間隙の深さ４２の例示的な非排他的実施例は、２．５ｃｍ未満の、２ｃｍ未満の、１．５ｃｍ未満の、１ｃｍ未満の、０．７５ｃｍ未満の、０．５ｃｍ未満の、又は０．５〜２．５ｃｍの間隙の深さを含む。間隙の深さ４２はまた、レイズドパネルの厚み４２と呼ばれることもあり、レイズドパネル１４の上面３２と下面３３によって画定されうる。
【００３３】
本明細書でさらに詳細に説明されているように、レイズドパネルアセンブリ１２は、本明細書では部分的に支持されているパネルアセンブリ１２、フローティングパネルアセンブリ１２、密閉されたパネルアセンブリ１２、及び／又は密閉されたレイズドパネルアセンブリ１２と呼ばれることもあるが、任意の好適な構造体１０の一部に含まれうる及び／又はそれを形成しうる隆起した表面を形成することがある。本開示による隆起した表面の例示的な非排他的実施例は、任意の好適な床面、壁面、及び又は天井面を含む。本開示による構造体１０の例示的な非排他的実施例は、任意の好適な建物、航空機、自動車、及び又は機械を含む。
【００３４】
図２は、本開示による流出制限構造体５０を含むレイズドパネルアセンブリ１２の図式的ではないが、例示的な非排他的実施例の斜投影図である。図２に示すように、また図１を参照してさらに詳細に説明されているように、レイズドパネルアセンブリ１２は、一又は複数のレイズドパネル１４（図２に破線で示したものの１つ）、間隙１８を形成しうる隣接するエッジを含むことができる。レイズドパネル１４は下部構造体２２によって支持される。間隙１８はチャネル２０の一部を画定しうる流出制限構造体５０を含んでもよい。チャネル２０は封止剤２６を含むことができる。
【００３５】
図２は、流出制限構造体５０及び／又はその中の弾性長尺体５４が、間隙１８の縦軸２１に対して揃えられる、平行な、少なくとも実質的に平行な、及び／又は同延な縦軸５１を含むことを示している。図２はまた、レイズドパネル１４の各々は２つの実質的に対向する面３０及び一又は複数のエッジ３４を含み、隣接するレイズドパネル１４のエッジ３４の間の空間は、間隙１８及び／又は溝２０の少なくとも一部を形成及び／又は画定しうることを示している。
【００３６】
図３は、本開示による適用ツール１１０を使用して、レイズドパネルアセンブリ１２の中に設置される流出制限構造体５０の例示的な非排他的実施例の概略断面図である。適用ツール１１０は、溝２０を生成及び／又は画定するため、間隙１８の中の所望の深さ４８に流出制限構造体５０を設置、挿入、及び／又は配置するように構成されてもよい。所望の深さ４８は、流出制限構造体５０に対して任意の好適な深さを含むことがある。例示的な非排他的実施例として、及び下部構造体２２が間隙１８の下に配置されているとき、適用ツール１１０は、流出制限構造体が下部構造体２２の近位にあるように及び／又は下部構造体２２と機械的に連係するように、流出制限構造体５０を間隙１８に挿入してもよい。別の例示的な非排他的実施例として、適用ツール１１０は、例えば、所望の接着結合強度を提供するためなど、対象物、又は封止剤２６とレイズドパネル１４との間の所望の接触領域を提供するのに十分な深さまで流出制限構造体５０を挿入することができる。さらに別の例示的な非排他的実施例として、及び下部構造体２２が間隙１８の下に配置されているとき、適用ツール１１０は流出制限構造体５０を間隙１８の中に挿入することができ、流出制限構造体が圧縮されることにより隣接するレイズドパネル１４の間に保持される。
【００３７】
図３はまた、レイズドパネル１４が任意の好適な方法及び／又は材料を使用して構成されうることを示している。例示的な非排他的実施例として、レイズドパネル１４は、複合レイズドパネル９４を含んでもよい。複合レイズドパネル９４は、レイズドパネル表面３０を画定する２つ以上の表面材料パネル９６に加えて、２つ以上の表面材料パネルの間に含まれるコア材料パネル９８を含んでもよい。複合パネル９４は、複合パネルの埋め込みエッジ１０２を画定する埋め込み材料１００を含んでもよい。追加的に又は代替的に、複合パネル９４はまた、露出したコア材料パネル９８を含む非埋め込みエッジ１０４を含んでいて、埋め込み材料を含まないことがある。
【００３８】
図４は、本開示によるレイズドパネルアセンブリ１２の図式的ではないが、例示的な非排他的実施例の断面図である。図４のレイズドパネルアセンブリは、図１〜３のレイズドパネルアセンブリと実質的に同様であるが、保持構造体９０、支持構造体９２、流出制限構造体５０、及び／又は下部構造体２２の図式的ではない実施例を提供している。
【００３９】
図４に示すように、また本明細書でさらに詳細に説明されているように、保持構造体９０は複数のナットクリップ９１を含んでもよく、その各々は下部構造体２２をレイズドパネル１４から分離しうる支持構造体９２を含んでもよい。ナットクリップ９１は下部構造体２２の長さに沿って離間され、下部構造体２２とレイズドパネル１４との間に第２の間隙１９を作ってもよく、流出制限構造体５０は第２の間隙１９への封止剤２６の流出を制限する、ブロックする、塞ぐ、及び／又は停止することが可能で、下部構造体２２とレイズドパネル１４との間に接着結合を形成する可能性を引き下げることができる。
【００４０】
また、図４に示すように、長尺分解補助器具８０は、レイズドパネルアセンブリ１２の中に、及び／又はその中の流出制限構造体５０の中に存在してもよい。本明細書でさらに詳細に説明されているように、長尺分解補助器具８０は、流出制限構造体５０及び封止剤２６を通る長尺分解補助器具を引くことによってレイズドパネルアセンブリ１２から、またレイズドパネルアセンブリ１２の上面３２から取り外し可能である。レイズドパネルアセンブリ１２からの長尺分解補助器具８０の取り外しは、流出制限構造体５０及び／又は封止剤２６を薄切する、切断する、分断する、引裂する、及び／又は分割することが可能で、レイズドパネルアセンブリ１２から一又は複数のレイズドパネル１４の取り外しを簡単にする損傷領域８２を作ることができる。
【００４１】
図４は、長尺分解補助器具８０をレイズドパネルアセンブリ１２から取り外したときに、レイズドパネル１４間に延在する封止剤２６のすべてが分断されることを示しているが、封止剤及び／又は流出制限構造体５０の任意の好適な分断部分が分断されることは本開示の範囲内のことである。本開示による分断された部分の例示的な非排他的実施例は、レイズドパネル間に延在する封止剤２６及び／又は流出制限構造体５０の少なくとも５０％、少なくとも６０％、少なくとも７０％、少なくとも８０％、少なくとも９０％、少なくとも９９％、又は１００％を含む。
【００４２】
図５は、本開示による流出制限構造体５０の例示的な非排他的実施例の別の概略断面図である。図１を参照して本明細書でさらに詳細に説明されているように、図５の流出制限構造体はチャネル２０の低い境界、エッジ、及び／又は表面を形成し、そこからの封止剤２６の流出を制限する。図５では、流出制限構造体５０は、平面的な、又は少なくとも実質的に平面的な弾性長尺体５４を含むことがあり、その例示的な非排他的実施例には、テープ、細片又は別の長さの発泡体、又は封止剤が流出しないような別の材料、及び／又は発泡体テープが含まれる。
【００４３】
本明細書でさらに詳細に説明されているように、流出制限構造体５０がレイズドパネルアセンブリ１２に含まれているときには、下部構造体２２は間隙１８の少なくとも一部の下に存在してもよい。これらの条件下では、流出制限構造体５０は、レイズドパネル１４の組立及び／又は設置に先立って下部構造体２２の上に設置されてもよい。流出制限構造体５０は、追加的に又は代替的に、接着剤５８、締結具、及び／又は着脱可能な締結具を使用することなどによって、下部構造体２２の支持面２４に動作可能に取り付けられうることは、本開示の範囲内のことである。本明細書でさらに詳細に説明されるように、流出制限構造体５０は、通過する封止剤２６の流出を防ぐ及び／又は塞ぐため、下部構造体２２とレイズドパネル１４との間などに圧縮されてもよい。
【００４４】
追加的に又は代替的に、流出制限構造体５０は、接着剤５８を用いることなどによって、レイズドパネル１４の下面３３に動作可能に取り付けられる。本明細書でさらに詳細に説明されているように、長尺分解補助器具８０は、間隙１８の任意の好適な部分及び／又は流出制限構造体５０の中に存在してもよく、かつレイズドパネルアセンブリ１２の分解に役立つように構成されてもよい。
【００４５】
図６は、本開示によるレイズドパネルアセンブリ１２の図式的ではないが、例示的な非排他的実施例の別の断面図である。図６のレイズドパネルアセンブリの中では、流出制限構造体５０はレイズドパネル１４の下面３３に機械的に接触していて、通過する封止剤２６の流出を制限している。
【００４６】
本明細書で図４〜５を参照してさらに詳細に説明されているように、下部構造体２２は、間隙１８の下に存在してもよく、また、任意の好適な機構によってレイズドパネル１４に動作可能に取り付けられてもよく、その例示的な非排他的実施例には、ナットクリップ９１などの保持構造体９０が含まれる。ナットクリップ９１の支持構造体９２は下部構造体２２とレイズドパネル１４との間に第２の間隙１９を作ってもよく、流出制限構造体５０は第２の間隙の中への封止剤２６の流出を制限することができる。
【００４７】
図４に示すように、第２の間隙１９はレイズドパネル１４、下部構造体２２及び保持構造体９０及び／又はその支持構造体９２に境界を接しうることは、本開示の範囲内のことである。追加的に又は代替的に、第２の間隙１９が、下部構造体２２とレイズドパネル１４との間に、或いは少なくともその間に直接的に保持構造体９０を含まない、レイズドパネルアセンブリ１２の一又は複数の領域の中に存在しうることも、本開示の範囲内のことである。代替的に、下部構造体２２は間隙１８の下になくてもよく、流出制限構造体５０は封止剤２６の間隙からの流出を制限することができる。接着剤５８は、流出制限構造体５０を下部構造体２２及び／又はレイズドパネル１４に動作可能に取り付けることができる。
【００４８】
図７は、図１の流出制限構造体を含みうる及び／又は流出制限構造体である本開示に従う、流出制限構造体５０のより詳細ではあるが、例示的な非排他的実施例の概略断面図である。図７の流出制限構造体５０は、中央部分６６、及び凹領域７２を画定するように中央部分から延在する２つの突起物６０を画定する弾性長尺体５４を含む。中央部分６６は中央部分の厚み（平均の厚み）６９及び中央部分の幅（平均の幅）７４を画定する。
【００４９】
図７に示されているように、突起物６０は、中央部分６６から次第に細くなること、及び／又は中央部分の厚み６９から中央部分の厚みを下回る突起物の厚みまで次第に細くなることもある。これは、点になるまで次第に細くすること、丸い点になるまで次第に細くすること、及び／又は尖った点になるまで次第に細くすることを含んでもよい。中央部分の幅７４が中央部分の厚み６９よりも大きくなることは、本開示の範囲内のことである。例示的な非排他的実施例として、中央部分の厚み６９に対する中央部分の幅７４の比率は、少なくとも１．２５、少なくとも１．５、少なくとも１．７５、少なくとも２、少なくとも２．５、少なくとも３、少なくとも３．５、又は少なくとも４であってもよい。
【００５０】
また、図７に示されているように、流出制限構造体５０は長尺分解補助器具８０を含んでもよく、及び／又はこれに関連付けられていてもよい。長尺分解補助器具８０は、流出制限構造体５０がレイズドパネルアセンブリの中に配置される前に、弾性長尺体５４及び／又は中央部分６６及び／又はその突起物６０の中に配置されること、これらの中に部分的に配置されること、及び／又はこれらに動作可能に取り付けられることがあってもよい。
【００５１】
図８〜９は、本開示による適用ツール１１０を使用してレイズドパネルアセンブリ１２の中に設置される、図７の流出制限構造体５０の概略断面図である。図８〜９に示されているように、適用ツール１１０は、弾性長尺体５４の凹領域７２の中に受け入れられるような大きさ及び／又は形状にされる凸領域１１２を含む及び／又は画定してもよい。また、図８〜９に示されているように、流出制限構造体５０の凹領域７２の中に適用ツール１００の凸領域１１２を受け入れることにより、間隙に対して所望の、特定の、及び／又は目的の配向で、流出制限構造体５０を間隙１８の中へ配置することを可能にする、及び／または容易にすることができる。
【００５２】
適用ツール１００はさらに、レイズドパネル１４の上面３２に接触するような大きさにされ、凸領域１１２が間隙１８の中へ延在する深さを調整する一又は複数の深さ止め１１４を含んでもよい。今度はこれによって、流出制限構造体５０が適用ツール１１０によって間隙１８の中へ挿入される際の深さが調整され、流出制限構造体５０及びレイズドパネル１４のエッジ３４に境界を接するチャネル２０の容積及び／又は断面積が調整される。したがって、図８〜１０に示されているように、適用ツール１１０は流出制限構造体５０を間隙１８の中の任意の好適な深さに配置するように構成されてもよい。
【００５３】
図８に示されているように、適用ツール１１０は、流出制限構造体が間隙１８の中に設置されるとき、レイズドパネル１４及び／又は流出制限構造体５０に対して摺動するように構成される一体型の適用ツールを含んでもよく、及び／又は一体型の適用ツールであってもよい。追加的に又は代替的に、さらに図９に示されているように、適用ツール１１０はまた、複数のコンポーネントによって画定されてもよく、及び／又は流出制限構造体が間隙１８の中に設置されるとき、レイズドパネル１４及び／又は流出制限構造体５０に対して回転するように構成されてもよい。例示的な非排他的実施例として、凸領域１１２は、流出制限構造体５０に対して回転するように構成される中央ローラー１１６によって画定されてもよい。別の例示的な非排他的実施例として、深さ止め１１４は、レイズドパネル１４に対して回転するように構成される一又は複数の外側ローラー１１８によって画定されてもよい。適用ツール１１０が中央ローラー１１６及び外側ローラー１１８を含むとき、外側ローラーの直径は、図示されているように中央ローラーの直径を下回ることがある。これにより、流出制限構造体５０を所望の深さで間隙１８の中に設置することができる。
【００５４】
図１０は、図７の流出制限構造体５０を含むレイズドパネルアセンブリ１２の例示的な非排他的実施例の概略断面図である。図１０では、流出制限構造体５０はチャネル２０を画定するため間隙１８の中に設置されており、封止剤２６はレイズドパネルアセンブリ１２を形成するためチャネル２０の中に設置されている。本明細書で説明されるように、封止剤２６はレイズドパネル１４のエッジ３４に付着、又は直接付着する。加えて、封止剤２６はまた、流出制限構造体５０の凹領域７２内に配置されてもよく、さらに流出制限構造体に及び／又はその弾性長尺体５４に、動作可能に取り付けられてもよく、直接取り付けられてもよく、接着されてもよく、及び／又は直接接着されてもよい。
【００５５】
図１０に示されているように、第１の突起物６２は、第１のレイズドパネル１５のエッジ３４（又は第１のエッジ３４）と接触する、及び／又はエッジ３４との流体封止を形成する。同様に、第２の突起物６４は、第２のレイズドパネル１６のエッジ３４（又は第２のエッジ３４）と接触する、及び／又はエッジ３４との流体封止を形成する。
【００５６】
流出制限構造体５０及び／又はその弾性長尺体５４が変形されていない形態（例えば、流出制限構造体が間隙１８の中に設置されていない、及び／又は図７に示されているようにレイズドパネル１４の間で圧縮されていない場合）と変形されている形態（例えば、流出制限構造体が間隙１８の中に設置されている、及び／又は図８〜１０に示されているようにレイズドパネル１４の間で圧縮されている場合）とを画定しうることは、本開示の範囲内のことである。変形された形態は変形されていない形態とは異なることがある。
【００５７】
例示的な非排他的実施例として、弾性長尺体５４が変形された形態にあるときには、第１の突起物６２と第２の突起物６４との間の距離（又は平均の距離）は、弾性長尺体５４が変形されていない形態にあるときの第１の突起物６２と第２の突起物６４との間の距離（又は平均の距離）を下回っていてもよい。別の例示的な非排他的実施例として、弾性長尺体５４は第１の面６７及び第２の面６８を画定してもよく、第１の面６７は封止剤２６に面しており、第２の面６８は第１の面６７とは対向している、及び／又は封止剤２６には背を向けている。弾性長尺体５４が変形していない形態にあるときには、第１の面６７及び／又は第２の面６８は弛緩した状態にあるか、張力が加えられていないか、及び／又は圧縮された状態にはない。しかしながら、弾性長尺体５４が変形された形態にあるときには、第１の面６７は圧縮されていることがある。さらに、間隙１８に対する第２の面６８の幅に応じて、第２の面６８には、張力が加えられていること、圧縮された状態にあること、又は、第１の面６７の圧縮の量（すなわち第１の量）を下回る量（すなわち第２の量）だけ圧縮されることがある。
【００５８】
レイズドパネルアセンブリ１２が、突起物６０を含む流出制限構造体５０を含むときには、間隙１８（図１では３８で示されている）の幅の変化率が少なくとも閾値幅の範囲を超えていても、レイズドパネル１４のエッジ３４に接触するように、及び又はエッジ３４との流体封止を形成するように大きさが決定されてもよい。例示的な非排他的実施例として、間隙幅の変化率が平均間隙幅の少なくとも１０％、少なくとも１５％、少なくとも２０％、少なくとも２５％、少なくとも３０％、少なくとも３５％、又は少なくとも４０％であっても、流出制限構造体はエッジ３４に接触するように、及び又はエッジ３４との流体封止を形成するように大きさが決定されてもよい。
【００５９】
加えて、突起物６０はエッジ３４と封止剤２６との間の接触面積３５を制限するように大きさがきめられてもよく、これによってその間の接着結合の全体的な強度を調整する。例示的な非排他的実施例として、突起物６０の長さ（すなわち、突起物６０とエッジ３４との間の接触面積３６）を減少させて、エッジ３４と封止剤２６との間の接触面積３５を増やしてもよい。別の例示的な非排他的実施例として、突起物６０の長さ（すなわち、接触面積３６）を増加させて、エッジ３４と封止剤２６との間の接触面積３５を減少させてもよい。
【００６０】
図１１は、本開示によるレイズドパネルアセンブリの組立方法２００を図解する例示的な非排他的実施例のフロー図である。方法２００は任意選択により、２１０で一又は複数のレイズドパネルを配置すること、及び／又は２１５で適用ツールに対して流出制限構造体の向きを定めることを含み、さらに、封止剤を受け止めるように構成されるチャネルを作るため、２２０でレイズドパネルアセンブリの中に流出制限構造体を設置することを含む。方法はさらに任意選択により、２３０でレイズドパネルアセンブリの中に長尺分解補助器具を設置することを含み、２４０でチャネルに封止剤を適用することを含んでもよい。方法はまた、２５０で流出制限構造体を通過した封止剤の流れを塞ぐこと、２６０で封止剤と下部構造体との間の接触を制限すること、及び／又は２７０で間隙の中で封止剤を硬化させることを含んでもよい。
【００６１】
２１０で一又は複数のレイズドパネルを配置することは、２つ以上のレイズドパネルの間、例えば２つ以上のパネルのエッジの間に間隙を生成するため、一又は複数のレイズドパネルを移動すること、配向すること、及び／又は配列することを含みうる。追加的に又は代替的に、配置することはまた、一又は複数のレイズドパネルを支持するように構成された下部構造体に関して一又は複数のレイズドパネルを配向すること、及び／又は下部構造体に対して一又は複数のレイズドパネルを動作可能に取り付けることを含んでもよい。
【００６２】
２１５で適用ツールに対して流出制限構造体を配向することは、（２２０で設置中などに）レイズドパネルアセンブリの中に流出制限構造体が所望の配向及び／又は配置で設置されるように配向することを含む。例示的な非排他的実施例として、また、本明細書でさらに詳細に説明されるように、流出制限構造体は凹領域を画定し、適用ツールは凹領域の中に受け入れられるような形状及び／又は大きさになる凸領域を画定することができる。このような条件下では、２１５で配向することは、流出制限構造体の凹領域の中に適用ツールの凸領域を配置することを含む。適用ツール及び／又は流出制限構造体は、適用ツールの凸領域が流出制限構造体の凹領域の中に受け入れられるときに、両者の間の単一の、対象となる、好ましい、及び／又は所望の相対配向を画定するように組み立てられること、及び／又は大きさが決定されること、その結果、レイズドパネルに対して対象となる、好ましい、及び／又は所望の配向で、レイズドパネルアセンブリの中の流出制限構造体の位置決めが促進されることは、本開示の範囲内のことである。
【００６３】
２２０でレイズドパネルアセンブリの中へ流出制限構造体を設置することは、間隙の一部を含み、封止剤を受け入れるように構成されるチャネル、谷、及び／又は溝を生成するように適用する前に間隙の中に、その例示的な非排他的実施例が本明細書でさらに詳細に説明される、所望の深さまで流出制限構造体を挿入することを含むことがある。挿入することは、手作業で挿入すること及び／又は間隙の中へ流出制限構造体を押し込むことを含みうることは、本開示の範囲内のことである。しかしながら、挿入することは、本明細書でさらに詳細に説明されるように、適用ツールの使用を含みうることも、本開示の範囲内のことである。挿入することはさらに、２つのレイズドパネルの間に、例えば、レイズドパネルの２つのエッジの間に、少なくとも例示的な非排他的実施例が本明細書でさらに詳細に説明される圧縮比率で、流出制限構造体を圧縮することを含んでもよい。
【００６４】
間隙が下部構造体の上に配置されているときには、挿入することは、２６０に示したように、封止剤が流出して下部構造体に接触することを低減する、制限する、ブロックする、及び／又は停止するように、間隙の中に流出制限構造体を挿入することを含んでもよい。間隙が下部構造体の上に配置されていないときには、挿入することは、適用することが実施される間隙の面とは反対側の間隙の面にテープ材料を接着することなく、流出制限構造体を挿入すること、及び封止剤を適用することを含んでもよい。
【００６５】
追加的に又は代替的に、２２０でレイズドパネルアセンブリの中へ流出制限構造体を設置することは、流出制限構造体が封止剤を受け入れるように構成されるチャネルの少なくとも１つの表面及び／又は境界を形成するように、流出制限構造体を配置することを含んでもよい。例示的な非排他的実施例として、また、本明細書でさらに詳細に説明されるように、これは、レイズドパネルアセンブリのレイズドパネルとレイズドパネルアセンブリを支持するように構成される下部構造体との間に流出制限構造体を配置することを含んでもよい。別の例示的な非排他的実施例として、また、本明細書でさらに詳細に説明されるように、これは、下部構造体の支持面とレイズドパネルの下面のうちの少なくとも１つに流出制限構造体を接着すること又は取り付けることを含んでもよい。
【００６６】
２３０でレイズドパネルアセンブリの中に長尺分解補助器具を設置することは、間隙の任意の好適な部分の中へ、及び／又は流出制限構造体の中へ長尺分解補助器具を設置することを含むことがあり、その例示的な非排他的実施例は本明細書でさらに詳細に説明される。設置が挿入と同時に、或いは少なくとも実質的に同時に実施されうることは、本開示の範囲内のことである。しかしながら、設置が挿入よりも前に、及び／又は後に実施されうることも、本開示の範囲内のことである。設置が現時点で挿入と共に実施される場合には、長尺分解補助器具は流出制限構造体の一部を形成すること、又は流出制限構造体から分離されることがある。設置が挿入の後に実施される場合には、設置は適用の前に実施されてもよい。
【００６７】
２４０で封止剤を適用することは、チャネルの少なくとも一部を封止剤で満たすための任意の好適な方法の使用を含みうる。本明細書でさらに詳細に説明されるように、適用することは、封止剤を液体の形態で、或いは少なくとも実質的に液体の形態で適用すること、及びチャネルの中で封止剤を硬化して、２７０で示したように固体の、或いは少なくとも実質的に固体の封止剤を生成することを含みうることは、本開示の範囲内のことである。本明細書でさらに詳細に説明されるように、適用すること及び／又は硬化することは、封止剤とこれに接触するレイズドパネルとの間に、及び／又は封止剤と流出制限構造体との間に接着結合を形成することを含みうる。適用中及び／又は適用後に、流出制限構造体は、２５０で示したように、そこを通る封止剤の流れを塞ぐ、制限する、及び／またはブロックすることができる。
【００６８】
図１２は、本開示による長尺分解補助器具を含むレイズドパネルアセンブリを分解する方法３００の例示的な非排他的実施例を描いたフロー図である。方法は、３１０で長尺分解補助器具を把持すること、及び３２０でレイズドパネルアセンブリから長尺分解補助器具を取り除くことを含む。方法はまた、３３０で流出制限構造体から長尺分解補助器具を分離することを含み、さらに３４０で封止剤の一部を分断することを含む。方法はさらに、３５０でレイズドパネルアセンブリから取り外したパネルを取り除くこと、３６０で取り外したパネルを交換用パネルと交換すること、及び／又は３７０で交換用パネルを封止することを含む。
【００６９】
３１０で長尺分解補助器具を把持することは、レイズドパネルアセンブリから長尺分解補助器具の取り外しを容易にするため、長尺分解補助器具の少なくとも一部を保持する、つかむ、及び／又は把持するための任意の好適なシステム及び／又は方法の利用を含んでもよい。把持することは、レイズドパネルアセンブリから長尺分解補助器具の一部を分離することを含みうること、及び／又は把持することは、長尺分解補助器具がレイズドパネルアセンブリの中にあるときに長尺分解補助器具を把持することを含みうることは、本開示の範囲内のことである。
【００７０】
３２０でレイズドパネルアセンブリから長尺分解補助器具を取り外すことは、３４０で示されているように、レイズドパネル間に延在する封止剤の少なくとも分断された部分を分断するため、封止剤を通して長尺分解補助器具を引き出すこと及び／又は引き寄せることを含んでもよい。封止剤の分断された部分の例示的な非排他的実施例は、本明細書でさらに詳細に説明される。
【００７１】
長尺分解補助器具が流出制限構造体の一部を形成しているとき、及び／又は流出制限構造体に動作可能に取り付けられているとき、取り外すことはまた、３３０で示されているように、流出制限構造体から長尺分解補助器具を分離することを含んでもよい。これは、分離中に、流出制限構造体の少なくとも一部を薄切する、切断する、分断する、引裂する、及び／又は分割することを含むことがある。
【００７２】
３５０でレイズドパネルアセンブリからレイズドパネルを取り外すことは、レイズドパネルの下に存在しうる構造体にアクセスするために、及び／又はレイズドパネルを修理、再加工及び／又は交換するために、レイズドパネルアセンブリからレイズドパネルを分離することを含んでもよい。３６０で取り外したレイズドパネルを交換することは、取り外したレイズドパネルを任意の好適なレイズドパネルで交換することを含むことがあり、その例示的な非排他的実施例には、新しいレイズドパネル、修理されたレイズドパネル、再加工されたレイズドパネル、及び／又は取り外されたレイズドパネルが含まれる。３７０で交換パネルを封止することは、交換パネルのエッジを封止する方法２００を含む、任意の好適なシステム及び／又は方法の使用を含んでもよい。
【００７３】
本開示では、例示的な非排他的実施例の幾つかは、方法が一連のブロック又はステップとして示され、説明されるブロック図又はフロー図との関連で、説明及び／又は提示されている。付随する説明が具体的に記述されていない場合でも、２つ以上のブロック（又はステップ）が異なる順序で、及び／又は同時に起こることを含め、ブロックの順序がフロー図で説明されている順序と異なりうることは、本開示の範囲内のことである。ブロック又はステップは論理として実装されうること、それはまた、ブロック又はステップを論理として実装することとして説明されうることは、本開示の範囲内のことである。幾つかの適用では、ブロック又はステップは、機能的に等価な回路又は他の論理装置によって実施される表現及び／又は行為を表すことがある。図示されているブロックは、必須ではないが、コンピュータ、プロセッサ、及び／又は他の論理装置が応答する、動作を行う、状態を変える、出力又は表示を生成する、及び／又は判断するようにさせる、実行可能な命令を表してもよい。
【００７４】
本明細書で使われているように、第１の実体と第２の実体との間に置かれる「及び／又は」という表現は、（１）第１の実体、（２）第２の実体、及び（３）第１の実体及び第２の実体、のうちの１つを意味する。「及び／又は」と共に列挙された複数の実体も同様な方法で、すなわち「一又は複数の」実体が結合されている、と解釈されるべきである。「及び／又は」という句で具体的に特定された実体以外に、具体的に特定されたこれらの実体に関連しているか関連していないにかかわらず、他の実体が任意選択により示されることがある。したがって、非限定的な実施例として、「Ａ及び／又はＢ」という表現は、「〜を備える（ｃｏｍｐｒｉｓｉｎｇ）」などの非限定的な言語（ｏｐｅｎ−ｅｎｄｅｄ  ｌａｎｇｕａｇｅ）と共に使用される場合には、１つの実施態様として、Ａのみ（任意選択によりＢ以外の実体を含む）を意味し；別の実施態様として、Ｂのみ（任意選択によりＡ以外の実体を含む）を意味し；さらに別の実施態様として、ＡとＢの両方（任意選択により他の実体を含む）を意味する。これらの実体は、要素、行為、構造、ステップ、操作、値などを意味することがある。
【００７５】
本明細書で使用されているように、一又は複数の実体のリストを参照する「少なくとも１つの」という句は、実体のリストの中の一又は複数の実体から選択される少なくとも１つの実体を意味すると理解されるべきで、実体のリストの中で具体的に列挙されたありとあらゆる実体の中の少なくとも１つを含むこと、及び実体のリストの中の実体の任意の組み合わせを除外することを必ずしも意味しない。この定義により、具体的に特定されたこれらの実体に関連しているか関連していないにかかわらず、「少なくとも１つの」という句で参照される実体のリストの中で具体的に特定された実体以外にも、実体を任意選択により提示することができる。したがって、非限定的な実施例として、「Ａ及びＢのうちの少なくとも１つ」（或いは同じように「Ａ又はＢのうちの少なくとも１つ」、或いは同じように「Ａ及び／又はＢのうちの少なくとも１つ」）は、１つの実施態様として、「少なくとも１つの、任意選択により２つ以上のＡを含み、Ｂは存在しない」（及び任意選択によりＢ以外の実体を含む）ことを意味し；別の実施態様として、「少なくとも１つの、任意選択により２つ以上のＢを含み、Ａは存在しない」（及び任意選択によりＡ以外の実体を含む）ことを意味し；さらに別の実施態様として、「少なくとも１つの、任意選択により２つ以上のＡ、及び少なくとも１つの、任意選択により２つ以上のＢを含む」（及び任意選択により他の実体を含む）ことを意味する。言い換えるならば、「少なくとも１つの」「一又は複数の」「及び／又は」という句は、操作を接続する又は分離する非限定的な表現である。例えば、「Ａ、Ｂ及びＣのうちの少なくとも１つ」、「Ａ、Ｂ又はＣのうちの少なくとも１つ」、「Ａ、Ｂ及びＣのうちの一又は複数」、「Ａ、Ｂ又はＣのうちの一又は複数」、及び「Ａ、Ｂ、及び／又はＣ」という表現の各々は、「Ａのみ」、「Ｂのみ」、「Ｃのみ」、「Ａ及びＢ共に」、「Ａ及びＣ共に」、「Ｂ及びＣ共に」、「Ａ、Ｂ及びＣ共に」、さらに任意選択により少なくとも１つの他の実体と組み合わせた上述のいずれか、を意味する。
【００７６】
本明細書で使用されているように、「適合された」及び「構成された」という表現は、要素、コンポーネント、又は他の主題が所与の機能を果たすように設計されている及び／又は意図されていることを意味する。このため、「適合された」及び「構成された」という表現の使用は、所定の要素、構成要素、又は他の主題が単純に所定の機能を「果たすことができる」ことを意味すると解釈すべきでなく、要素、構成要素、及び／又は他の主題が機能を果たす目的で特別に選択された、作製された、実装された、用いられた、プログラムされた、及び／又は設計されたものである。特定の機能を実行するように適合されているものとして記載されている要素、コンポーネント、及び／又は他の主題は、追加的に又は代替的に、そのような機能を実行するように構成されているものとして記載することができ、逆もまた可であることはまた、本開示の範囲内のことである。
【００７７】
本開示によるシステム及び方法の例示的な非排他的な実施例は、以下に列挙される段落に記載される。以下に列挙される段落内を含め、本明細書に記載されている方法の個々のステップは、追加的に又は代替的に、記載された動作を実行する「ためのステップ」と呼ばれることがある。
【００７８】
Ａ．１  隣接するレイズドパネル間の間隙から出る封止剤の流出を制限するように構成されている流出制限構造体であって、
縦軸を画定する弾性長尺体を備える、流出制限構造体。
【００７９】
Ａ．２  前記流出制限構造体は、隣接するレイズドパネル間にある封止剤を分断する手段を含んでいる、及び分断する手段に近接している、のうちの少なくとも１つの状態にある、段落Ａ１に記載の流出制限構造体。
【００８０】
Ａ．３  隣接するレイズドパネル間に存在する封止剤を分断するための前記手段は、長尺分解補助器具を含み、さらに任意選択により前記長尺分解補助器具は前記弾性長尺体の縦軸と同延である、段落Ａ２に記載の流出制限構造体。
【００８１】
Ａ．４  前記弾性長尺体は弾性固体、エラストマー、ポリマー、疎水性材料、発泡体、疎水性発泡体、ポリウレタン発泡体、及び疎水性ポリウレタン発泡体のうちの少なくとも１つから形成される、段落Ａ１からＡ３のいずれか１つの段落に記載の流出制限構造体。
【００８２】
Ａ．５  前記弾性長尺体は前記レイズドパネルアセンブリの中に設置されるように構成されている、段落Ａ１からＡ４のいずれか１つの段落に記載の流出制限構造体。
【００８３】
Ａ．６  前記弾性長尺体は実質的に一定の横断面形状を含み、任意選択により前記横断面形状は円形の、卵形の、楕円形の、台形の、多角形の、正方形の、及び矩形の横断面形状を含む、段落Ａ１からＡ５のいずれか１つの段落に記載の流出制限構造体。
【００８４】
Ａ．７  前記弾性長尺体は前記間隙に挿入され、前記間隙への挿入時に圧縮されるように構成されており、前記弾性長尺体は非圧縮状態にあるとき特徴的な横断面直径を含み、さらに前記特徴的な横断面直径は前記間隙の幅よりも大きく、任意選択により前記特徴的な横断面直径は前記間隙の幅よりも少なくとも５％、少なくとも１０％、少なくとも１５％、少なくとも２０％、少なくとも２５％、少なくとも３０％、少なくとも３５％、少なくとも４０％、少なくとも４５％、少なくとも５０％、又は５〜５０％大きい、段落Ａ１からＡ６のいずれか１つの段落に記載の流出制限構造体。
【００８５】
Ａ．８  前記長尺分解補助器具は、弦、糸、フィラメント、ワイヤ、ロッド、及びケーブルのうちの少なくとも１つを含む、段落Ａ３からＡ７のいずれか１つの段落に記載の流出制限構造体。
【００８６】
Ａ．９  前記長尺分解補助器具は、金属、ポリマー、エラストマー、ナイロン、ポリエステル、ポリエチレン、ポリプロピレン、及び疎水性材料のうちの少なくとも１つから形成される、段落Ａ３からＡ８のいずれか１つの段落に記載の流出制限構造体。
【００８７】
Ａ．１０  前記長尺分解補助器具は、前記弾性長尺体とは異なる化学組成、異なる密度、異なるヤング率、異なるせん断強度、及び異なる引張強度のうちの少なくとも１つを含み、任意選択により前記長尺分解補助器具は、前記弾性長尺体よりも大きなせん断強度及び大きな引張強度を含む、段落Ａ３からＡ９のいずれか１つの段落に記載の流出制限構造体。
【００８８】
Ａ．１１  前記長尺分解補助器具は、前記弾性長尺体の中にある、及び前記弾性長尺体に動作可能に取り付けられている、のうちの少なくとも１つの状態ある、段落Ａ３からＡ１０のいずれか１つの段落に記載の流出制限構造体。
【００８９】
Ａ．１２  前記長尺分解補助器具は、前記弾性長尺体から分離され、前記隣接するレイズドパネル間から前記封止剤の少なくとも一部を薄切する、切断する、分断する、引裂する、及び分割する、のうちの少なくとも１つを行うように構成される、段落Ａ１１に記載の流出制限構造体。
【００９０】
Ａ．１３  前記長尺分解補助器具は、前記弾性長尺体から分離されると、弾性長尺体の構造を変更するように構成されており、任意選択により前記長尺分解補助器具は、前記弾性長尺体からの分離時に、前記弾性長尺体を薄切する、切断する、分断する、引裂する、及び分割する、のうちの少なくとも１つを行うように構成されている、段落Ａ１１又はＡ１２に記載の流出制限構造体。
【００９１】
Ａ．１４  前記長尺分解補助器具は、前記弾性長尺体からの分離時に、前記弾性長尺体の長さの少なくとも一部を変更するように構成されており、任意選択により前記弾性長尺体の前記長さの一部は、前記弾性長尺体の長さの少なくとも５０％、少なくとも６０％、少なくとも７０％、少なくとも７５％、少なくとも８０％、少なくとも９０％、少なくとも９５％、少なくとも９９％、１００％、５０〜１００％、又は７５〜１００％を含み、さらに任意選択により前記弾性長尺体の前記長さは前記弾性長尺体の前記縦軸と同延である、段落Ａ１３に記載の流出制限構造体。
【００９２】
Ａ．１５  前記長尺分解補助器具は、前記封止剤の中に配置され、任意選択により前記長尺分解補助器具は、封止剤によって取り囲まれており、さらに任意選択により前記長尺分解補助器具は、弾性長尺体によって取り囲まれていない、段落Ａ３からＡ１１のいずれか１つの段落に記載の流出制限構造体。
【００９３】
Ａ．１６  前記長尺分解補助器具は、前記封止剤と前記弾性長尺体との間にある、段落Ａ３からＡ１１のいずれか１つの段落に記載の流出制限構造体。
【００９４】
Ａ．１７  前記長尺分解補助器具は、前記封止剤から分離され、前記隣接するレイズドパネル間から前記封止剤の少なくとも一部を薄切する、切断する、分断する、引裂する、及び分割する、のうちの少なくとも１つを行うように構成され、任意選択により前記長尺分解補助器具は、前記弾性長尺体に損傷を与えることなく、前記封止剤から分離されるように構成されている、段落Ａ１５又はＡ１６に記載の流出制限構造体。
【００９５】
Ａ．１８  前記流出制限構造体の少なくとも一部は、レイズドパネル及びレイズドパネルの下面を支えるように構成されている下部構造体の支持面の少なくとも１つに接着されるように構成されている、段落Ａ１からＡ１７のいずれか１つの段落に記載の流出制限構造体。
【００９６】
Ａ．１９  前記流出制限構造体の少なくとも一部は、レイズドパネル及びレイズドパネルの下面を支えるように構成されている下部構造体の支持面の少なくとも１つに固定されるように構成されている、段落Ａ１からＡ１７のいずれか１つの段落に記載の流出制限構造体。
【００９７】
Ａ．２０  前記流出制限構造体は、前記封止剤を受け取るように構成されているチャネルの少なくとも１つの境界を形成するように構成されている、段落Ａ１からＡ１９のいずれか１つの段落に記載の流出制限構造体。
【００９８】
Ａ．２１  前記弾性長尺体は、任意選択により横断面で見たときに、中央部分及び前記中央部分から延在する２つの突起物を画定する、段落Ａ１からＡ２０のいずれか１つの段落に記載の流出制限構造体。
【００９９】
Ａ．２２  前記２つの突起物は、対向する側面、対向する領域、及び／又は中央部分の対向する側面領域から延在する、段落Ａ２１に記載の流出制限構造体。
【０１００】
Ａ．２３  前記中央部分及び前記２つの突起物は、前記弾性長尺体の縦軸に沿って延在する、段落Ａ２１又はＡ２２に記載の流出制限構造体。
【０１０１】
Ａ．２４  前記中央部分は、中央部分の厚み（又は平均の厚み）を画定し、さらに前記２つの突起物は前記中央部分の厚み（又は平均の厚み）から前記中央部分の厚み（又は平均の厚み）を下回る突起物の厚みまで次第に細くなる、段落Ａ２１からＡ２３のいずれか１つの段落に記載の流出制限構造体。
【０１０２】
Ａ．２５  前記２つの突起物は、横断面で見たときに、中央部分から次第に細くなり、任意選択により前記２つの突起物は、点、丸い点、及び尖った点のうちの少なくとも１つまで次第に細くなる、段落Ａ２１からＡ２４のいずれか１つの段落に記載の流出制限構造体。
【０１０３】
Ａ．２６  前記中央部分は、中央部分の厚み（又は平均の厚み）及び中央部分の幅（横断面で見たとき）を画定し、さらに前記中央部分の幅は前記中央部分の厚み（又は平均の厚み）よりも大きく、任意選択により前記中央部分の厚み（又は平均の中央部分の厚み）に対する前記中央部分の幅の比率は、少なくとも１．２５、少なくとも１．５、少なくとも１．７５、少なくとも２、少なくとも２．５、少なくとも３、少なくとも３．５、又は少なくとも４である、段落Ａ２１からＡ２５のいずれか１つの段落に記載の流出制限構造体。
【０１０４】
Ａ．２７  前記中央部分は、第１の面及び第１の面に対向する第２の面を画定し、また任意選択により、第１の面及び第２の面は中央部分の厚み（又は平均の厚み）を画定する、段落Ａ２１からＡ２６のいずれか１つの段落に記載の流出制限構造体。
【０１０５】
Ａ．２８  前記２つの突起物は、前記中央部分の各エッジから延在し、前記中央部分の前記各エッジは前記第１の面と前記第２の面との間に画定される、段落Ａ２７に記載の流出制限構造体。
【０１０６】
Ａ．２８´  前記２つの突起物は、前記第１の面及び前記第２の面のうちの１つから延在する、段落Ａ２７に記載の流出制限構造体。
【０１０７】
Ａ．２９  前記２つの突起物は、前記中央部分から延在して、その間に凹領域を画定し、任意選択により横断面で見たときに、前記凹領域は、くぼんだ領域、概してＶ字型の領域、概してＵ字型の領域、概してカップ型の領域、及び概して谷型の領域のうちの少なくとも１つである、段落Ａ２１からＡ２６のいずれか１つの段落に記載の流出制限構造体。
【０１０８】
Ａ．３０  前記凹領域は、封止剤を受け入れるように構成されている、段落Ａ２９に記載の流出制限構造体。
【０１０９】
Ａ．３１  前記長尺分解補助器具は、内部に配置されている、少なくとも部分的に内部に配置されている、のうちの少なくとも１つの状態にあり、さらに（ｉ）前記中央部分、（ｉｉ）前記２つの突起物の一方、のうちの少なくとも１つに動作可能に取り付けられている、段落Ａ２１からＡ３０のいずれか１つの段落に記載の流出制限構造体。
【０１１０】
Ａ．３２  前記弾性長尺体は、前記中央部分及び前記２つの突起物を画定する一体型の弾性長尺体である、段落Ａ２１からＡ３１のいずれか１つの段落に記載の流出制限構造体。
【０１１１】
Ｂ．１  隣接するレイズドパネル間の間隙の封止に使用されるように構成されたコンポーネントのキットであって、前記キットは：
段落Ａ１からＡ３２のいずれか１つの段落に記載の前記流出制限構造体と；
封止剤とを備え、前記流出制限構造体は、前記間隙の一部を形成し、前記封止剤を受け入れるように構成されているチャネルの少なくとも１つの境界を形成するように構成されており、前記流出制限構造体は、通過する封止剤の流出を制限するように構成されており、さらに前記封止剤は、前記チャネルの一部を充填するため、及び前記隣接するレイズドパネルの各々を接着するため、前記チャネルに適用されるように構成されている、コンポーネントのキット。
【０１１２】
Ｂ．２  前記流出制限構造体は、前記間隙の中に設置されるように構成されており、前記キットは、前記封止剤の適用に先立って、前記間隙の中の所望の深さまで前記流出制限構造体を挿入するように構成されている適用ツールをさらに含む、段落Ｂ１に記載のキット。
【０１１３】
Ｂ．３  前記所望の深さは、前記封止剤と前記隣接するレイズドパネルとの間の接触面積が両者の間に所望の結合力をもたらすのに十分である深さを含む、段落Ｂ２に記載のキット。
【０１１４】
Ｂ．４  前記封止剤は、液体として前記間隙に適用され、前記間隙の中で硬化されて固体を形成するように構成されている、段落Ｂ２又はＢ３に記載のキット。
【０１１５】
Ｂ．５  前記適用ツールは、前記弾性長尺体によって画定される凹領域の中に受け入れられるように成形される凸領域を画定し、任意選択により前記凹領域は、前記中央部分及び前記弾性長尺体によって画定される２つの突起物によって画定される、段落Ｂ１からＢ４のいずれか１つの段落に記載のキット。
【０１１６】
Ｂ．６  前記凸領域が前記凹領域の中に受け入れられ、前記流出制限構造体が前記適用ツールによって前記間隙の中に配置され、前記流出制限構造体は前記間隙に対して所望の配向を画定する、段落Ｂ５に記載のキット。
【０１１７】
Ｂ．７  前記凹領域及び前記凸領域は、前記間隙に対して所望の配向で前記間隙の中に前記流出制限構造体を選択的に配置できるように大きさが決定される、段落Ｂ５又はＢ６に記載のキット。
【０１１８】
Ｂ．８  前記適用ツールは、前記凸領域及び、前記間隙の中の前記流出制限構造体の深さを調整するため、前記隣接するレイズドパネルの１つの上面に接触するように構成される少なくとも１つの深さ止めを画定する中央ローラーを含み、任意選択により前記少なくとも１つの深さ止めは少なくとも１つの外側ローラーを含むか、又は少なくとも１つの外側ローラーであり、さらに任意選択により少なくとも１つの外側ローラーの直径は前記中央ローラーの直径を下回っている、段落Ｂ５からＢ７のいずれか１つの段落に記載のキット。
【０１１９】
Ｃ．１  ２つの実質的に対向する第１の面及び第１のエッジを含む第１のレイズドパネルと；
２つの実質的に対向する第２の面及び第２のエッジを含む第２のレイズドパネルであって、前記第１のエッジの第１の隣接する部分は前記第２のエッジの第２の隣接する部分と対向して離間され、前記第１のレイズドパネルと前記第２のレイズドパネルとの間に間隙を形成する第２のレイズドパネルと；
前記間隙の少なくとも一部を含むチャネルの少なくとも１つの境界を画定する流出制限構造体と；
前記チャネルの中に配置され、前記第１の隣接する部分及び前記第２の隣接する部分と接着結合を形成するように構成された封止剤と
を備えるレイズドパネルアセンブリであって、さらに前記流出制限構造体は通過する封止剤の流出を制限する、及び任意選択によりブロックするように構成されているレイズドパネルアセンブリ。
【０１２０】
Ｃ．２  前記流出制限構造体は、前記第１の隣接する部分及び前記第２の隣接する部分と機械的に接触する、段落Ｃ１に記載のレイズドパネルアセンブリ。
【０１２１】
Ｃ．３  前記流出制限構造体は、段落Ａ１からＡ３２のいずれか１つの段落に記載の流出制限構造体を含む、段落Ｃ１又はＣ２に記載のレイズドパネルアセンブリ。
【０１２２】
Ｃ．４  前記封止剤は、接着剤、エラストマー、ポリマー、弾性材料、及び疎水性材料のうちの少なくとも１つを含む、段落Ｃ１からＣ３のいずれか１つの段落に記載のレイズドパネルアセンブリ。
【０１２３】
Ｃ．５  前記封止剤は、液体として前記間隙に適用され、前記間隙の中で硬化されて固体を形成するように構成されている、段落Ｃ１からＣ４のいずれか１つの段落に記載のレイズドパネルアセンブリ。
【０１２４】
Ｃ．６  前記レイズドパネルアセンブリは、下部構造体をさらに含む、及び下部構造体と機械的に連係している、のうちの少なくとも１つの状態にあり、さらに前記レイズドパネルアセンブリの少なくとも一部は前記下部構造体に動作可能に取り付けられている、段落Ｃ１からＣ５のいずれか１つの段落に記載のレイズドパネルアセンブリ。
【０１２５】
Ｃ．７  前記下部構造体は、支持面を含み、さらに前記第１の隣接する部分、前記第２の隣接する部分、及び前記間隙は、前記支持面の上に配置されている、段落Ｃ６に記載のレイズドパネルアセンブリ。
【０１２６】
Ｃ．８  前記流出制限構造体は、前記封止剤と前記支持面との間に配置され、且つ前記封止剤と前記支持面との間で制限する、及び任意選択によりブロックする、接触するように構成されている段落Ｃ７に記載のレイズドパネルアセンブリ。
【０１２７】
Ｃ．９  前記レイズドパネルアセンブリは、前記第１のレイズドパネルと前記第２のレイズドパネルのうちの少なくとも１つを前記下部構造体に動作可能に取り付けるように構成されている複数の保持構造体をさらに含む、段落Ｃ７又はＣ８に記載のレイズドパネルアセンブリ。
【０１２８】
Ｃ．１０  前記複数の保持構造体は、締結具、ねじ、リベット、ボルト、ワッシャ、ナット、及びナットクリップのうちの少なくとも１つを含む、段落Ｃ９に記載のレイズドパネルアセンブリ。
【０１２９】
Ｃ．１１  前記間隙は第１の間隙であって、複数の保持構造体は複数の支持構造体を含み、前記複数の支持構造体は前記第１のレイズドパネル及び前記第２のレイズドパネルのうちの少なくとも１つと前記支持面との間にあり、さらに前記複数の支持構造体は前記第１のレイズドパネル及び前記第２のレイズドパネルのうちの少なくとも１つと前記支持面との間に第２の間隙を生成する、段落Ｃ９又はＣ１０に記載のレイズドパネルアセンブリ。
【０１３０】
Ｃ．１２  前記流出制限構造体は、前記第２の間隙への前記封止剤の流出を制限する、及び任意選択によりブロックするように構成される、段落Ｃ１１に記載のレイズドパネルアセンブリ。
【０１３１】
Ｃ．１３  前記流出制限構造体は、前記第１のレイズドパネルと前記支持面との間に、及び前記第２のレイズドパネルと前記支持面との間に配置される、段落Ｃ７からＣ１２のうちの１つの段落に記載のレイズドパネルアセンブリ。
【０１３２】
Ｃ．１４  前記流出制限構造体は、前記支持面、前記第１のレイズドパネルの下面、及び前記第２のレイズドパネルのうちの少なくとも１つに、動作可能に取り付けられる、及び任意選択により接着される、段落Ｃ１３に記載のレイズドパネルアセンブリ。
【０１３３】
Ｃ．１５  前記下部構造体は、支持面を含み、さらに前記第１の隣接する部分、前記第２の隣接する部分、及び前記間隙は、前記支持面の上に配置されていない、段落Ｃ６に記載のレイズドパネルアセンブリ。
【０１３４】
Ｃ．１６  前記間隙は、前記封止剤が前記間隙に適用される前記間隙の側面とは反対に位置する前記間隙の側面の上にテープ材料を含まない、段落Ｃ１５に記載のレイズドパネルアセンブリ。
【０１３５】
Ｃ．１７  前記流出制限構造体は、前記第１のレイズドパネルの下面及び前記第２のレイズドパネルの下面のうちの少なくとも１つに動作可能に取り付けられ、及び任意選択により接着され、さらに任意選択により前記流出制限構造体は、テープ及び発泡体テープのうちの少なくとも１つを含む、段落Ｃ１５に記載のレイズドパネルアセンブリ。
【０１３６】
Ｃ．１８  前記間隙は幅を含み、さらに前記幅は、２ｃｍ未満、１．５ｃｍ未満、１ｃｍ未満、０．７５ｃｍ未満、０．５ｃｍ未満、０．４ｃｍ未満、０．３ｃｍ未満、０．２ｃｍ未満、０．１ｃｍ未満、０．１〜２ｃｍ、０．１〜１ｃｍ、及び０．２〜０．８ｃｍのうちの少なくとも１つである、段落Ｃ１からＣ１７のいずれか１つの段落に記載のレイズドパネルアセンブリ。
【０１３７】
Ｃ．１９  前記間隙は深さを含み、さらに前記深さは、２．５ｃｍ未満、２ｃｍ未満、１．５ｃｍ未満、１ｃｍ未満、０．７５ｃｍ未満、０．５ｃｍ未満、及び０．５〜２．５ｃｍのうちの少なくとも１つである、段落Ｃ１からＣ１８のいずれか１つの段落に記載のレイズドパネルアセンブリ。
【０１３８】
Ｃ．２０  前記封止剤は封止剤の容積を含み、さらに前記封止剤の容積は、前記第１のレイズドパネル、前記第２のレイズドパネル、及び前記封止剤を含むが、前記流出制限構造体を含まない同等のレイズドパネルアセンブリの封止剤の容積を下回っており、さらに任意選択により前記封止剤の容積は、前記同等のレイズドパネルアセンブリの前記封止剤の容積を１０％、２０％、２５％、３０％、４０％、５０％、６０％、７０％、及び７５％下回る、段落Ｃ１からＣ１９のいずれか１つの段落に記載のレイズドパネルアセンブリ。
【０１３９】
Ｃ．２１  前記第１のレイズドパネル及び前記第２のレイズドパネルのうちの少なくとも１つは複合パネルを含み、前記複合パネルは、前記複合パネルの第１の面を備える第１の表面材料、前記複合パネルの第２の対向する面を備える第２の表面材料、及び前記第１の表面材料と前記第２の表面材料との間にあるコア材料を含む、段落Ｃ１からＣ２０のいずれか１つの段落に記載のレイズドパネルアセンブリ。
【０１４０】
Ｃ．２２  前記第１の隣接する部分及び前記第２の隣接する部分のうちの少なくとも１つ、及び任意選択により両方は、前記コア材料を覆う埋め込み材料を有する埋め込みエッジを含む、段落Ｃ２１に記載のレイズドパネルアセンブリ。
【０１４１】
Ｃ．２３  前記第１の隣接する部分及び前記第２の隣接する部分のうちの少なくとも１つ、及び任意選択により両方は、コア材料が露出している非埋め込みエッジを含む、段落Ｃ２１又はＣ２２に記載のレイズドパネルアセンブリ。
【０１４２】
Ｃ．２４  前記第１のレイズドパネル及び前記第２のレイズドパネルのうちの少なくとも１つの少なくとも非支持部分は、非支持領域を含み、さらに任意選択により非支持部分は、前記第１のレイズドパネル及び前記第２のレイズドパネルのうちの少なくとも１つの表面積の少なくとも２５％、少なくとも５０％、少なくとも６０％、少なくとも６５％、少なくとも７０％、少なくとも７５％、少なくとも８０％、少なくとも８５％、少なくとも９０％、少なくとも９５％、５０〜９５％、７０〜９５％、又は７５〜９０％を含む、段落Ｃ１からＣ２３のいずれか１つの段落に記載のレイズドパネルアセンブリ。
【０１４３】
Ｃ．２５  前記レイズドパネルアセンブリは、隆起した床、天井、及び壁のうちの少なくとも１つの部分を形成する、段落Ｃ１からＣ２４のいずれか１つの段落に記載のレイズドパネルアセンブリ。
【０１４４】
Ｃ．２６  前記流出制限構造体は前記間隙の中に配置されている、段落Ｃ１からＣ２５のいずれか１つの段落に記載のレイズドパネルアセンブリ。
【０１４５】
Ｃ．２７  段落Ａ２１からＡ３２のいずれか１つの段落に従属している場合、前記２つの突起物は第１の突起物及び第２の突起物を含む、段落Ｃ１からＣ２６のいずれか１つの段落に記載のレイズドパネルアセンブリ。
【０１４６】
Ｃ．２８  前記第１の突起物は前記第１のエッジに接触しており、さらに前記第２の突起物は前記第２のエッジに接触している、段落Ｃ２７に記載のレイズドパネルアセンブリ。
【０１４７】
Ｃ．２９  前記第１の突起物は前記第１のエッジとの流体封止を形成し、さらに前記第２の突起物は前記第２のエッジとの流体封止を形成する、段落Ｃ２７又はＣ２８に記載のレイズドパネルアセンブリ。
【０１４８】
Ｃ．３０  前記封止剤は、前記弾性長尺体に動作可能に取り付けられる、直接取り付けられる、接着される、及び／又は直接接着される、段落Ｃ２７からＣ２９のいずれか１つの段落に記載のレイズドパネルアセンブリ。
【０１４９】
Ｃ．３１  前記封止剤は、前記弾性長尺体によって画定される凹領域の中に配置される、段落Ｃ２７からＣ３０のいずれか１つの段落に記載のレイズドパネルアセンブリ。
【０１５０】
Ｃ．３２  前記弾性長尺体は、前記間隙の中に配置される前の未変形形態及び前記間隙の中に配置された後の変形形態を画定し、任意選択により前記変形形態は前記未変形形態とは異なる、段落Ｃ２７からＣ３１のいずれか１つの段落に記載のレイズドパネルアセンブリ。
【０１５１】
Ｃ．３３  前記弾性長尺体が変形形態にあるときの前記第１の突起物と前記第２の突起物との間の平均距離は、前記弾性長尺体が未変形形態にあるときの前記第１の突起物と前記第２の突起物との間の平均距離を下回る、段落Ｃ３２に記載のレイズドパネルアセンブリ。
【０１５２】
Ｃ．３４  前記弾性長尺体は、前記封止剤の方向に向けられている第１の面、及び前記第１の面に対向し前記封止剤から離れる方向に向けられている第２の面を画定する、段落Ｃ１からＣ３３のいずれか１つの段落に記載のレイズドパネルアセンブリ。
【０１５３】
Ｃ．３５  前記第１の面は圧縮された状態にあり、前記第２の面は引っ張られた状態にある、段落Ｃ３４に記載のレイズドパネルアセンブリ。
【０１５４】
Ｃ．３６  前記第１の面は第１の量だけ圧縮されており、さらに前記第２の面は前記第１の量を下回る第２の量だけ圧縮されている、段落Ｃ３４に記載のレイズドパネルアセンブリ。
【０１５５】
Ｃ．３７  段落Ｃ１からＣ３６のいずれか１つの段落に記載のレイズドパネルアセンブリを含む建造物。
【０１５６】
Ｃ．３８  段落Ｃ１からＣ３６のいずれか１つの段落に記載のレイズドパネルアセンブリを含む航空機。
【０１５７】
Ｃ．３９  段落Ｃ１からＣ３６のいずれか１つの段落に記載のレイズドパネルアセンブリを含む自動車。
【０１５８】
Ｃ．４０  段落Ｃ１からＣ３６のいずれか１つの段落に記載のレイズドパネルアセンブリを含む構造体。
【０１５９】
Ｃ．４１  段落Ｃ１からＣ３６のいずれか１つの段落に記載のレイズドパネルアセンブリを含む機械。
【０１６０】
Ｄ１．  レイズドパネルアセンブリを組み立てる方法であって、前記方法は：
封止剤を受け入れるように構成されるチャネルであって、第１のレイズドパネルの第１のエッジと第２のレイズドパネルの第２のエッジとの間の間隙の一部を含むチャネルの境界を形成するために、前記レイズドパネルアセンブリの中に流出制限構造体を設置することと；
前記封止剤を前記チャネルに適用することとを含み、前記流出制限構造体は通過する前記封止剤の流出を制限し、かつ任意選択によりブロックし、前記封止剤は前記第１のレイズドパネル及び前記第２のレイズドパネルと接着結合を形成し、さらに前記適用することは前記設置することの後で実施される方法。
【０１６１】
Ｄ２．  前記方法は、前記間隙を生成するように前記レイズドパネルを配置することをさらに含む、段落Ｄ１に記載の方法。
【０１６２】
Ｄ３．  前記間隙は下部構造体の支持面の上方に配置され、さらに前記設置することは前記構造体に接触する前記封止剤の流出を制限するように前記流出制限構造体を設置することを含む、段落Ｄ１又はＤ２に記載の方法。
【０１６３】
Ｄ４．  前記方法は、前記間隙の中に長尺分解補助器具を設置することをさらに含み、前記長尺分解補助器具は、前記第１のレイズドパネルと前記第２のレイズドパネルとの間に延在する前記封止剤の少なくとも一部を薄切すること、切断すること、分断すること、引裂すること、及び分割することのうちの少なくとも１つによって、前記第２のレイズドパネルから前記第１のレイズドパネルを分解するのに要する時間を短縮するように構成されている、段落Ｄ１からＤ３のいずれか１つの段落に記載の方法。
【０１６４】
Ｄ５．  前記長尺分解補助器具を前記設置することは、前記流出制限構造体を前記設置することと同時に実施され、任意選択により前記長尺分解補助器具は前記流出制限構造体の一部を形成する、段落Ｄ４に記載の方法。
【０１６５】
Ｄ６．  前記長尺分解補助器具を前記設置することは、前記流出制限構造体を前記設置することの後で実施され、任意選択により前記長尺分解補助器具の前記設置することは前記適用することの前に実施される、段落Ｄ４に記載の方法。
【０１６６】
Ｄ７．  前記流出制限構造体を前記設置することは、前記流出制限構造体を前記間隙に設置することを含む、段落Ｄ１からＤ６のいずれか１つの段落に記載の方法。
【０１６７】
Ｄ８．  前記方法は、前記適用することが実施される前記間隙の側面と対向する前記間隙の側面に別のテープ材料を接着することなく、前記流出制限構造体を設置すること、及び前記封止剤を適用することを含む、段落Ｄ７に記載の方法。
【０１６８】
Ｄ９．  前記流出制限構造体を前記設置することは、適用ツールにより前記流出制限構造体を所望の深さに設置することを含み、任意選択により前記所望の深さは、前記封止剤と、前記第１のレイズドパネルと、前記第２レイズドパネルとの間の接触領域が、所望の結合強度をもたらすのに十分となる深さを含む、段落Ｄ７又はＤ８に記載の方法。
【０１６９】
Ｄ１０．  前記方法は、任意選択により前記設置することに先立って、前記適用ツールに対して前記流出制限構造体を配向することをさらに含む、段落Ｄ９に記載の方法。
【０１７０】
Ｄ１１．  前記配向することは、前記流出制限構造体によって画定される凹領域の中に前記適用ツールの凸領域を配置することを含む、段落Ｄ１０に記載の方法。
【０１７１】
Ｄ１２．  前記流出制限構造体を前記設置することは、前記第１のエッジと前記第２のエッジとの間で前記流出制限構造体を圧縮することを含み、任意選択により前記圧縮することは、少なくとも１つの寸法について少なくとも５％だけ、少なくとも１０％だけ、少なくとも１５％だけ、少なくとも２０％だけ、少なくとも２５％だけ、少なくとも３０％だけ、少なくとも３５％だけ、少なくとも４０％だけ、少なくとも４５％だけ、少なくとも５０％だけ、５〜２５％だけ、又は５〜５０％だけ前記流出制限構造体を圧縮することを含む、段落Ｄ７からＤ１１のいずれか１つの段落に記載の方法。
【０１７２】
Ｄ．１３  前記流出制限構造体を前記設置することは、前記第１のレイズドパネルの下面及び前記第２のレイズドパネルの下面に前記流出制限構造体を動作可能に取り付けること、及び任意選択により接着することを含む、段落Ｄ１からＤ１２のいずれか１つの段落に記載の方法。
【０１７３】
Ｄ．１４  前記流出制限構造体を前記設置することは、前記第１のレイズドパネルと下部構造体との間に前記流出制限構造体を設置すること、及び前記第２のレイズドパネルと下部構造体との間に前記流出制限構造体を設置すること含む、段落Ｄ１からＤ１３のいずれか１つの段落に記載の方法。
【０１７４】
Ｄ．１５  前記設置することは、前記流出制限構造体を前記下部構造体に、任意選択により取り付けること、及び任意選択により接着することをさらに含む、段落Ｄ１４に記載の方法。
【０１７５】
Ｄ．１６  前記適用することは、前記封止剤を液体封止剤として適用することを含み、さらに、前記方法は固体封止剤を形成するため前記封止剤を硬化することを含む、段落Ｄ１からＤ１５のいずれか１つの段落に記載の方法。
【０１７６】
Ｄ．１７  前記方法は、前記流出制限構造体を通過した前記封止剤の流出を塞ぐことをさらに含み、任意選択により前記塞ぐことはブロックすることを含む、段落Ｄ１からＤ１６のいずれか１つの段落に記載の方法。
【０１７７】
Ｄ１８．前記流出制限構造体は、段落Ａ１からＡ３２のいずれか１つの段落に記載の前記流出制限構造体を含む、段落Ｄ１〜Ｄ１７のいずれか１つの段落に記載の方法。
【０１７８】
Ｄ１９．前記方法は、段落Ｂ１〜Ｂ８のいずれか１つの段落に記載の前記キットを使用して実施される、段落Ｄ１〜Ｄ１８のいずれか１つの段落に記載の方法。
【０１７９】
Ｄ２０．  前記レイズドパネルアセンブリは、段落Ｃ１からＣ４１のいずれか１つの段落に記載の前記レイズドパネルアセンブリを含む、段落Ｄ１からＤ１９のいずれか１つの段落に記載の方法。
【０１８０】
Ｅ１．  前記レイズドパネルアセンブリは、第１のエッジを有する第１のレイズドパネル、第２のエッジを有する第２のレイズドパネル、及び前記第１のエッジと前記第２のエッジとの間の間隙を含み、流出制限構造体は前記間隙の一部を含むチャネルの少なくとも１つの境界を画定し、前記チャネルは封止剤を包含し、さらに前記封止剤及び前記流出制限構造体のうちの少なくとも１つは長尺分解補助器具を含む、レイズドパネルアセンブリを分解する方法であって、前記方法は：
前記長尺分解補助器具を把持することと；
前記レイズドパネルアセンブリから前記長尺分解補助器具を取り外すことと；
前記取り外し中に前記長尺分解補助器具により、前記第１のエッジと前記第２のエッジとの間に延在する前記封止剤の少なくとも分断された部分を分断することと
を含む方法。
【０１８１】
Ｅ２．  前記封止剤の前記分断された部分は、前記第１のエッジと前記第２のエッジとの間に延在する前記封止剤の少なくとも５０％を含み、任意選択により前記第１のエッジと前記第２のエッジとの間に延在する前記封止剤の少なくとも６０％、少なくとも７０％、少なくとも８０％、少なくとも９０％、少なくとも９９％、又は１００％を含む、段落Ｅ１に記載の方法。
【０１８２】
Ｅ３．  前記取り外すことは、前記流出制限構造体から前記長尺分解補助器具を分離することを含み、任意選択により前記分離することは、前記流出制限構造体の外表面及び前記流出制限構造体の内部領域のうちの少なくとも１つから前記長尺分解補助器具を分離することを含む、段落Ｅ１又はＥ２に記載の方法。
【０１８３】
Ｅ４．  前記分離することは、前記流出制限構造体の少なくとも一部を薄切すること、切断すること、分断すること、引裂すること、及び分割することのうちの少なくとも１つを含む、段落Ｅ３に記載の方法。
【０１８４】
Ｅ５．  前記方法は、前記レイズドパネルアセンブリから取り外したパネルを取り除くことをさらに含み、前記取り外したパネルは前記第１のレイズドパネル及び第２のレイズドパネルのうちの少なくとも１つを含む、段落Ｅ１からＥ４のいずれか１つの段落に記載の方法。
【０１８５】
Ｅ６．  前記方法は、前記取り外したパネルを交換パネルと交換することを含む、段落Ｅ５に記載の方法。
【０１８６】
Ｅ７．  前記交換することは、段落Ｂ１からＢ８のいずれか１つの段落に記載のキットを使用して前記取り外したパネルを交換することを含む、段落Ｅ６に記載の方法。
【０１８７】
Ｅ８．  前記交換することは、段落Ｄ１からＤ２０のいずれか１つの段落に記載の方法を使用して前記取り外したパネルを交換することを含む、段落Ｅ６に記載の方法。
【０１８８】
Ｅ９．前記流出制限構造体は、段落Ａ１〜Ａ３２のいずれか１つの段落に記載の前記流出制限構造体を含む、段落Ｅ１からＥ８のいずれか１つの段落に記載の方法。
【０１８９】
Ｅ１０．前記レイズドパネルアセンブリは、段落Ｃ１からＣ４１のいずれか１つの段落に記載のレイズドパネルアセンブリを含む、段落Ｅ１からＥ９のいずれか１つの段落に記載の方法。
【０１９０】
Ｆ１．  段落Ｄ１からＥ１０のいずれか１つの段落に記載の方法による、段落Ａ１〜Ａ３２のいずれか１つの段落に記載の前記流出制限構造体、段落Ｂ１からＢ８のいずれか１つの段落に記載の前記キット、又は段落Ｃ１からＣ４１のいずれか１つの段落に記載の前記レイズドパネルアセンブリの使用。
【０１９１】
Ｆ２．  段落Ａ１〜Ａ３２のいずれか１つの段落に記載の前記流出制限構造体、段落Ｂ１からＢ８のいずれか１つの段落に記載の前記キット、又は段落Ｃ１からＣ４１のいずれか１つの段落に記載の前記レイズドパネルアセンブリによる、段落Ｄ１からＥ１０のいずれか１つの段落に記載の方法の使用。
【０１９２】
Ｆ３．  レイズドパネルアセンブリの組み立て中に、封止剤の流出を制限する、及び任意選択によりブロックする、流出制限構造体の使用。
【０１９３】
Ｆ４．  レイズドパネルアセンブリからのレイズドパネルの取り外し中に、含まれている長尺分解補助器具による流出制限構造体の使用。
【０１９４】
Ｆ５．  レイズドパネルアセンブリの組み立て中に、隣接するレイズドパネル間の間隙に流出制限構造体を挿入する深さを制御する適用ツールの使用。
【産業上の利用可能性】
【０１９５】
本明細書に開示されているシステム及び方法は、航空業界に加えて、レイズドパネルアセンブリを使用しうる他の業界でも適用可能である。
【０１９６】
上述の開示内容は、独立の用途を有する複数の個別の実施形態を包含している。これらの実施形態の各々をそれぞれに好ましい形態で開示したが、本明細書に開示及び例示された特定の実施例は、多数の変形例が可能であるため、限定的な意味で考慮されるべきではない。記載されている実施形態の主題は、本明細書に開示された様々な要素、機構、機能、及び／又は特性のすべてを含む。同様に、請求項において「一つの」、又は「第１の」要素、又はこれらの均等物が記載される所では、このような請求項は一又は複数の上記要素の組み込みを含み、２つ以上の上記要素を要求することも除外することも含まないものとして理解すべきである。
【０１９７】
以下の特許請求の範囲は、開示されている実施形態の一又は複数を対象とする特定の組み合わせ及び部分組み合わせを特に指摘するものであり、新規で且つ進歩性があると考えられる。特徴、機能、要素、及び／又は特性の他の組み合わせ及び部分組み合わせは、本願又は関連出願の本請求項の補正、又は新規請求項の提示を通して主張することができる。このような補正された請求項又は新規請求項も、異なる実施形態を対象とするものであるか、又は同じ実施形態を対象とするものであるかを問わず、また、元の請求項と比較して、異なるか、広いか、狭いか、又は等価であるかを問わず、本開示の主題に含まれるものとみなされる。
【符号の説明】
【０１９８】
１０    構造体
１２    レイズドパネルアセンブリ
１４    レイズドパネル
１５    第１のレイズドパネル
１６    第２のレイズドパネル
１８    間隙
１９    第２の間隙
２０    溝
２１    縦軸
２２、２３    下部構造体
２４    支持面
２６    封止剤
３０    対向する面
３２    上面
３３    下面
３４    エッジ
３５    エッジと封止剤との接触面積
３６    突起物とエッジとの接触面積
３８    間隙の幅
４２    間隙の深さ
４４    支持されている部分
４６    支持されていない部分
４８    所望の深さ
５０    流出制限構造体
５１    縦軸
５４    弾性長尺体
５８    接着剤
６０    突起物
６２    第１の突起物
６４    第２の突起物
６６    中央部分
６７    第１の面
６８    第２の面
６９    中央部分の厚み
７０    エッジ
７２    凹領域
７４    中央部分の幅
８０    長尺分解補助器具
８２    損傷領域
８４    疎水性材料
９０    保持構造体
９１    ナットクリップ
９２    支持構造体
９４    複合レイズドパネル
９６    表面材料パネル
９８    コア材料パネル
１００    埋め込み材料
１０２    埋め込みエッジ
１０４    非埋め込みエッジ
１１０    適用ツール
１１２    凸領域
１１４    深さ止め
１１６    中央ローラー
１１８    外側ローラー
【図１】
2015042834.tif 000003
【図２】
2015042834.tif 000004
【図３】
2015042834.tif 000005
【図４】
2015042834.tif 000006
【図５】
2015042834.tif 000007
【図６】
2015042834.tif 000008
【図７】
2015042834.tif 000009
【図８】
2015042834.tif 000010
【図９】
2015042834.tif 000011
【図１０】
2015042834.tif 000012
【図１１】
2015042834.tif 000013
【図１２】
2015042834.tif 000014
【外国語明細書】
2015042834000001.pdf
2015042834000002.pdf
2015042834000003.pdf
2015042834000004.pdf